(57)【要約】  第１の特徴に係るユーザ端末は、コントローラを備える。前記ユーザ端末がＲＲＣアイドル状態である場合において、前記コントローラは、負荷再分配のためのセル再選択処理に適用されるセル固有優先度を基地局から受信する処理と、ページングメッセージを用いてトリガーされる前記セル再選択処理に対してのみ前記セル固有優先度が適用されることを示す識別子を前記基地局から受信する処理と、前記セル再選択処理をトリガーする指示を含む前記ページングメッセージを前記基地局から受信する処理と、前記ページングメッセージの受信に応じて、前記セル固有優先度を用いて前記セル再選択処理を実行する処理と、を実行する。
2017051580.tif 000002
【特許請求の範囲】
【請求項１】
コントローラを備えるユーザ端末であって、
前記ユーザ端末がＲＲＣアイドル状態である場合において、前記コントローラは、
負荷再分配のためのセル再選択処理に適用されるセル固有優先度を基地局から受信する処理と、
ページングメッセージを用いてトリガーされる前記セル再選択処理に対してのみ前記セル固有優先度が適用されることを示す識別子を前記基地局から受信する処理と、
前記セル再選択処理をトリガーする指示を含む前記ページングメッセージを前記基地局から受信する処理と、
前記ページングメッセージの受信に応じて、前記セル固有優先度を用いて前記セル再選択処理を実行する処理と、
を実行するユーザ端末。
【請求項２】
コントローラを備える基地局であって、
前記コントローラは、
負荷再分配のためのセル再選択処理に適用されるセル固有優先度を報知する処理と、
ページングメッセージを用いてトリガーされる前記セル再選択処理に対してのみ前記セル固有優先度が適用されることを示す識別子を報知する処理と、
前記セル再選択処理をトリガーする指示を含む前記ページングメッセージを報知する処理と、
を実行する基地局。
【発明の詳細な説明】
【技術分野】
【０００１】
本発明は、複数のセルの中からサービングセルとして用いる対象セルを選択するための処理を実行する基地局及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、異なる周波数で運用される複数のセルの中からサービングセルとして用いる対象セルを選択する技術が提案されている（例えば、非特許文献１）。【０００３】
具体的には、ユーザ端末は、開始条件が満たされた場合に、現在のサービングセルに隣接する隣接セルの品質を測定し、選択条件を満たすセルの中からサービングセルとして用いる対象セルを選択する。
【先行技術文献】
【非特許文献】
【０００４】
【非特許文献１】３ＧＰＰ技術報告書  「ＴＳ３６．３０４  Ｖ１２．４．０」  ２０１５年３月
【発明の概要】
【０００５】
第１の特徴に係るユーザ端末は、コントローラを備える。前記ユーザ端末がＲＲＣアイドル状態である場合において、前記コントローラは、負荷再分配のためのセル再選択処理に適用されるセル固有優先度を基地局から受信する処理と、ページングメッセージを用いてトリガーされる前記セル再選択処理に対してのみ前記セル固有優先度が適用されることを示す識別子を前記基地局から受信する処理と、前記セル再選択処理をトリガーする指示を含む前記ページングメッセージを前記基地局から受信する処理と、前記ページングメッセージの受信に応じて、前記セル固有優先度を用いて前記セル再選択処理を実行する処理と、を実行する。
【０００６】
第２の特徴に係る基地局は、コントローラを備える。前記コントローラは、負荷再分配のためのセル再選択処理に適用されるセル固有優先度を報知する処理と、ページングメッセージを用いてトリガーされる前記セル再選択処理に対してのみ前記セル固有優先度が適用されることを示す識別子を報知する処理と、前記セル再選択処理をトリガーする指示を含む前記ページングメッセージを報知する処理と、を実行する。
【図面の簡単な説明】
【０００７】
【図１】図１は、実施形態に係るＬＴＥシステムの構成図である。
【図２】図２は、実施形態に係るＵＥ１００のブロック図である。
【図３】図３は、実施形態に係るｅＮＢ２００のブロック図である。
【図４】図４は、実施形態に係る無線インターフェイスのプロトコルスタック図である。
【図５】図５は、実施形態に係るＬＴＥシステムで使用される無線フレームの構成図である。
【図６】図６は、実施形態に係る適用シーンを説明するための図である。
【図７】図７は、第１実施形態に係る移動通信方法を示すシーケンス図である。
【図８】図８は、変更例１に係る移動通信方法を示すフロー図である。
【図９】図９は、変更例２に係る移動通信方法を示すシーケンス図である。
【図１０】図１０は、第２実施形態の処理フローを示す図である。
【図１１】図１１は、第３実施形態の処理フローを示す図である。
【図１２】図１２は、第４実施形態の処理フローを示す図である。
【図１３】図１３は、第５実施形態の処理フローを示す図である。
【図１４】図１４は、第６実施形態の処理フローを示す図である。
【図１５】図１５は、第７実施形態の処理フローを示す図である。
【図１６】図１６は、第８実施形態の処理フローを示す図である。
【図１７】図１７は、第９実施形態の処理フローを示す図である。
【発明を実施するための形態】
【０００８】
以下において、実施形態に係る移動通信システムについて、図面を参照しながら説明する。なお、以下の図面の記載において、同一又は類似の部分には、同一又は類似の符号を付している。
【０００９】
ただし、図面は模式的なものであり、各寸法の比率などは現実のものとは異なる場合があることに留意すべきである。従って、具体的な寸法などは以下の説明を参酌して判断すべきである。また、図面相互間においても互いの寸法の関係や比率が異なる部分が含まれていることは勿論である。
【００１０】
［開示の概要］
背景技術で触れた移動通信システムでは、サービングセルとして用いる対象セルの選択は、隣接セルの品質に基づいて行われる。従って、地理的に近い位置に存在するユーザ端末が同一セルを対象セルとして選択する蓋然性が高い。また、ユーザ端末の地理的な分布には偏りがあることが多い。すなわち、ユーザ端末がサービングセルとして用いるセルが同一セルに偏る可能性があり、各セルの負荷分散を適切に行えない可能性がある。
【００１１】
開示の概要に係るユーザ端末は、コントローラを備える。前記ユーザ端末がＲＲＣアイドル状態である場合において、前記コントローラは、負荷再分配のためのセル再選択処理に適用されるセル固有優先度を基地局から受信する処理と、ページングメッセージを用いてトリガーされる前記セル再選択処理に対してのみ前記セル固有優先度が適用されることを示す識別子を前記基地局から受信する処理と、前記セル再選択処理をトリガーする指示を含む前記ページングメッセージを前記基地局から受信する処理と、前記ページングメッセージの受信に応じて、前記セル固有優先度を用いて前記セル再選択処理を実行する処理と、を実行する。
【００１２】
従って、ＲＲＣアイドル状態のユーザ端末を各セルに適切に配分することができる。
【００１３】
［第１実施形態］
以下において、移動通信システムとして、３ＧＰＰ規格に基づいたＬＴＥシステムを例に挙げて、第１実施形態を説明する。
【００１４】
（システム構成）
第１実施形態に係るＬＴＥシステムのシステム構成について説明する。図１は、第１実施形態に係るＬＴＥシステムの構成図である。
【００１５】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１６】
ＵＥ１００は、ユーザ端末に相当する。ＵＥ１００は、移動型の通信装置であり、ｅＮＢ２００によって形成されるセル（ＵＥ１００がＲＲＣコネクティッド状態である場合には、サービングセル）との無線通信を行う。ＵＥ１００の構成については後述する。
【００１７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００１８】
ｅＮＢ２００は、１又は複数のセルを形成しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００１９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００２０】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、コントローラを構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサとしてもよい。
【００２１】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、受け付けた操作の内容を示す信号をプロセッサ１６０に出力する。ＧＮＳＳ受信機１３０は、ＵＥ１００の地理的な位置を示す位置情報を得るためにＧＮＳＳ信号を受信するとともに、受信されたＧＮＳＳ信号をプロセッサ１６０に出力する。バッテリ１４０は、ＵＥ１００の各ブロックに供給すべき電力を蓄える。
【００２３】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１６０は、さらに、音声・映像信号の符号化・復号を行うコーデックを含んでもよい。プロセッサ１６０は、後述する各種の処理及び各種の通信プロトコルを実行する。
【００２４】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、コントローラを構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００２５】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００２６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００２７】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵとを含む。プロセッサ２４０は、後述する各種の処理及び各種の通信プロトコルを実行する。
【００２８】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００３０】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００３２】
ＰＤＣＰ層は、ヘッダ圧縮・伸張、及び暗号化・復号化を行う。また、ＰＤＣＰ層には、データユニット（ＰＤＣＰ  ＰＤＵ）を送信するための送信エンティティ又はデータユニット（ＰＤＣＰ  ＰＤＵ）を受信するための受信エンティティが形成されることに留意すべきである。
【００３３】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合に、ＵＥ１００はＲＲＣコネクティッド状態であり、ＵＥ１００のＲＲＣとｅＮＢ２００のＲＲＣとの間に接続（ＲＲＣ接続）がない場合に、ＵＥ１００はＲＲＣアイドル状態である。
【００３４】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００３５】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３６】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３７】
（適用シーン）
以下において、適用シーンについて説明する。図６は、第１実施形態に係る適用シーンを説明するための図である。
【００３８】
図６に示すように、複数のｅＮＢ２００（例えば、ｅＮＢ２００＃１、ｅＮＢ２００＃２、ｅＮＢ２００＃３、ｅＮＢ２００＃４）を有する。ｅＮＢ２００＃１は、無線通信エリアとしてセル＃１を有しており、ｅＮＢ２００＃２は、無線通信エリアとしてセル＃２を有しており、ｅＮＢ２００＃３は、無線通信エリアとしてセル＃３−１及びセル＃３−２を有しており、ｅＮＢ２００＃４は、無線通信エリアとしてセル＃４−１及びセル＃４−２を有している。
【００３９】
なお、セル＃２、セル＃３−１、セル＃３−２、セル＃４−１及びセル＃４−２は、セル＃１と重複している。また、各セルは、互いに異なる周波数で運用されている。各セルが運用されている周波数には、優先度が定められている。周波数と優先度との対応関係は、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。
【００４０】
このような前提下において、ＵＥ１００は、異なる周波数で運用される複数のセルの中からサービングセルとして用いる対象セルを選択する。具体的には、ＵＥ１００は、開始条件が満たされた場合に、現在のサービングセルに隣接する隣接セルの品質を測定し、選択条件を満たすセルの中からサービングセルとして用いる対象セルを選択する。
【００４１】
第１に、開始条件は、以下に示す通りである。
【００４２】
（Ａ１）現在のサービングセルの周波数の優先度よりも高い優先度を有する周波数
−ＵＥ１００は、高い優先度を有する周波数の品質を常に測定する。
【００４３】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【００４４】
第２に、選択条件は、以下に示す通りである。
【００４５】
（Ｂ１）隣接セルの周波数の優先度が現在のサービングセルの優先度よりも高い
−ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを対象セルとして選択する。このようなケースにおいて、隣接セルが満たすべき基準を“Ｓ−ｃｒｉｔｅｒｉａ”と称することもある。
【００４６】
但し、Ｓｑｕａｌは、セル選択品質レベルを表しており、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）であり、Ｑｑｕａｌｍｉｎは、最小要求品質レベルであり、Ｑｑｕａｌｍｉｎｏｆｆｓｅｔは、隣接セルに定常的に適用される所定オフセットであり、Ｑｏｆｆｓｅｔｔｅｍｐは、隣接セルに一時的に適用されるオフセットである。ＴｈｒｅｓｈＸ，ＨｉｇｈＱは、所定閾値である。
【００４７】
また、Ｓｒｘｌｅｖは、セル選択受信レベルを表しており、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信レベル（ＲＳＲＰ）であり、Ｑｒｘｌｅｖｍｉｎは、最小要求受信レベルであり、Ｑｒｘｌｅｖｍｉｎｏｆｆｓｅｔは、隣接セルに定常的に適用される所定オフセットであり、Ｐｃｏｍｐｅｎｓａｔｉｏｎは、アップリンクの能力に関するパラメータであり、Ｑｏｆｆｓｅｔｔｅｍｐは、隣接セルに一時的に適用されるオフセットである。ＴｈｒｅｓｈＸ，ＨｉｇｈＰは、所定閾値である。
【００４８】
（Ｂ２）隣接セルの周波数の優先度が現在のサービングセルの優先度と同じである
−ＵＥ１００は、現在のサービングセルのランキングＲｓ及び隣接セルのランキングＲｎを算出するとともに、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【００４９】
但し、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信レベル（ＲＳＲＰ）であり、Ｑｍｅａｓ，ｎは、隣接セルの受信レベル（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【００５０】
（Ｂ３）隣接セルの周波数の優先度が現在のサービングセルの優先度よりも低い
−ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００５１】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００５２】
なお、対象セルの選択で用いる各種パラメータは、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００５３】
第１実施形態において、ＵＥ１００（コントローラ）は、異なる周波数で運用される複数のセルの中からサービングセルとして用いる対象セルを選択する。具体的には、ＵＥ１００（コントローラ）は、現在のサービングセルの品質が所定品質基準を満たしている場合であっても、所定タイミングにおいて、現在のサービングセルに隣接する隣接セルの品質を測定する。ここで、「所定品質基準を満たしている」とは、上述した開始条件が満たされていないことである。詳細には、所定品質基準とは、上述した（Ａ２）に示したように、現在のサービングセルの品質が所定閾値を下回っていない条件である。
【００５４】
言い換えると、第１実施形態に係るＵＥ１００（コントローラ）は、原則として、現在のサービングセルの品質が所定品質基準を満たしている場合に、現在のサービングセルに隣接する隣接セルの品質測定を開始しないように構成されている。しかしながら、ＵＥ１００（コントローラ）は、後述するように、現在のサービングセルから受信するシステム情報に基づいて、例外的に隣接セルの品質測定を開始することに留意すべきである。
【００５５】
ここで、ＵＥ１００（コントローラ）は、現在のサービングセルから受信するシステム情報（ＳＩＢ；Ｓｙｓｔｅｍ  Ｉｎｆｏｒｍａｔｉｏｎ  Ｂｌｏｃｋ）に基づいて、所定タイミングを特定する。なお、所定タイミングは、対象セルの選択に伴って隣接セルの品質測定を開始するタイミングを意味する。
【００５６】
システム情報は、隣接セルの品質測定を直ちに開始することを意味していてもよい。このようなケースにおいて、ＵＥ１００（コントローラ）は、システム情報を受信するタイミングを所定タイミングとして特定し、システム情報の受信に応じて隣接セルの品質測定を開始する。
【００５７】
或いは、システム情報は、隣接セルの品質測定を開始すべきサブフレーム番号を含んでもよい。ＵＥ１００（コントローラ）は、システム情報に含まれるサブフレーム番号を所定タイミングとして特定し、特定されたサブフレーム番号で隣接セルの品質測定を開始する。
【００５８】
或いは、システム情報は、所定タイミングの周期を示す情報を含んでもよい。例えば、システム情報は、隣接セルの品質測定を終了したタイミングで起動されるタイマに設定すべきタイマ値を含む。ＵＥ１００（コントローラ）は、タイマ値がセットされたタイマが満了したタイミングを所定タイミングとして特定し、特定されたタイミングで隣接セルの品質測定を開始する。
【００５９】
ここで、システム情報が所定タイミングの周期を示す情報を含む場合において、ＵＥ１００（コントローラ）は、ＵＥ１００に固有の値に基づいて、所定タイミングの周期を補正してもよい。ＵＥ１００に固有の値は、例えば、システム情報を受信するサブフレーム番号であってもよく、ＵＥ１００の識別子（ＵＥ−ＩＤ）であってもよい。ＵＥ１００（コントローラ）は、“タイマ値×ＵＥ−ＩＤ”によって得られる値をタイマにセットし、タイマが満了したタイミングで隣接セルの品質測定を開始する。
【００６０】
或いは、システム情報は、ＵＥ１００（コントローラ）が発生する乱数と対比すべき閾値を含んでもよい。ＵＥ１００（コントローラ）は、所定タイミングにおける乱数と閾値との比較結果に基づいて、隣接セルの品質を測定する。例えば、ＵＥ１００（コントローラ）は、所定タイミングにおいて、乱数が閾値よりも大きい若しくは乱数が閾値よりも小さいといった条件が満たされる場合に、隣接セルの品質測定を開始する。
【００６１】
（移動通信方法）
以下において、第１実施形態に係る移動通信方法について説明する。図７は、第１実施形態に係る移動通信方法を示すシーケンス図である。
【００６２】
図７に示すように、ステップＳ１０において、ＵＥ１００は、ＲＲＣアイドル状態である。
【００６３】
ステップＳ１１において、ＵＥ１００は、ｅＮＢ２００（現在のサービングセル）から報知されるシステム情報（ＳＩＢ；Ｓｙｓｔｅｍ  Ｉｎｆｏｒｍａｔｉｏｎ  Ｂｌｏｃｋ）を受信する。
【００６４】
ステップＳ１２において、ＵＥ１００は、現在のサービングセルの品質が所定品質基準を満たしている場合であっても、所定タイミングにおいて、現在のサービングセルに隣接する隣接セルの品質を測定する。ＵＥ１００は、システム情報（ＳＩＢ；Ｓｙｓｔｅｍ  Ｉｎｆｏｒｍａｔｉｏｎ  Ｂｌｏｃｋ）に基づいて、所定タイミングを特定する。
【００６５】
（作用及び効果）
第１実施形態に係るＵＥ１００（コントローラ）は、現在のサービングセルの品質が所定品質基準を満たしている場合であっても、所定タイミングにおいて、現在のサービングセルに隣接する隣接セルの品質を測定する。すなわち、地理的に近い位置に存在するＵＥ１００であっても、対象セルの選択に伴う隣接セルの品質測定を開始するタイミングが時間的に離散する。従って、各セルの負荷分散を適切に行うことができる。言い換えると、ＲＲＣアイドル状態のＵＥ１００を各セルに適切に配分することができる。
【００６６】
［変更例１］
以下において、第１実施形態の変更例１について説明する。以下においては、第１実施形態に対する相違点について主として説明する。
【００６７】
具体的には、第１実施形態では、ＵＥ１００は、現在のサービングセルの品質が所定品質基準を満たしている場合であっても、所定タイミングにおいて、現在のサービングセルに隣接する隣接セルの品質を測定する。これに対して、変更例１では、ＵＥ１００（コントローラ）は、第１実施形態で説明した（Ｂ１）〜（Ｂ３）に示すように、所定品質基準（Ｓ−ｃｒｉｔｅｒｉａやＲ−ｃｒｉｔｅｒｉａ）を満たす品質を有するセルの中から、サービングセルとして用いる対象セルを選択する。ＵＥ１００（コントローラ）は、対象セルの選択において、ランダム性を有する値を用いて、対象セルを選択する。
【００６８】
ランダム性を有する値とは、現在のサービングセルに在圏する全てのＵＥ１００に共通する値でなければよい。例えば、ランダム性を有する値とは、ＵＥ１００に割り当てられる識別子（ＵＥ−ＩＤ）、ＵＥ１００（コントローラ）が発生する乱数及びＵＥ１００のアクセス規制に関するアクセスクラス（ＡＣ）の中から選択された１以上の値である。
【００６９】
ここで、ＵＥ１００（コントローラ）は、ランダム性を有する値（例えば、ＵＥ−ＩＤ、乱数、ＡＣ）に基づいて、品質（例えば、Ｓｑｕａｌ、Ｓｒｘｌｅｖ、Ｑｍｅａｓ，ｓ、Ｑｍｅａｓ，ｎ）を補正してもよい。例えば、品質の補正方法としては、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）として新たな値を定義してもよく、新たなオフセットを導入してもよい。各種オフセットは、例えば、ｏｆｆｓｅｔ＝（ｄｅｆａｕｌｔ  ｏｆｆｓｅｔ）×（ＵＥ−ＩＤ÷ｎ）によって算出される。但し、ｎは予め定められた値又はサービングセルから報知された値である。
【００７０】
或いは、ＵＥ１００（コントローラ）は、ランダム性を有する値（例えば、ＵＥ−ＩＤ、乱数、ＡＣ）に基づいて、複数のセルのそれぞれが運用されている周波数の優先度（ｃｅｌｌＲｅｓｅｌｅｃｔｉｏｎＰｒｉｏｒｉｔｙ）を補正してもよい。
【００７１】
或いは、ＵＥ１００（コントローラ）は、所定品質基準（Ｓ−ｃｒｉｔｅｒｉａやＲ−ｃｒｉｔｅｒｉａ）を満たす品質を有するセルの中から、ランダム性を有する値（例えば、ＵＥ−ＩＤ、乱数、ＡＣ）に基づいて、対象セルを選択してもよい。言い換えると、ＵＥ１００（コントローラ）は、所定品質基準（Ｓ−ｃｒｉｔｅｒｉａやＲ−ｃｒｉｔｅｒｉａ）を満たす品質を有するセルを特定し、特定されたセル（選択候補セル）の中から、ランダム性を有する値に基づいて、対象セルを選択する。例えば、ＵＥ１００（コントローラ）は、ランダム性を有する値に基づいて、選択候補セルのランキングを補正する。
【００７２】
或いは、ＵＥ１００（コントローラ）は、現在のサービングセルの周波数と同じ優先度を有する周波数で運用されているセルの中から、ランダム性を有する値に基づいて、対象セルを選択してもよい。ここで、現在のサービングセルの周波数と同じ優先度を有する周波数とは、現在のサービングセルの周波数と同じ周波数であってもよく、現在のサービングセルの周波数と異なる周波数であってもよい。言い換えると、ＵＥ１００（コントローラ）は、上述した条件を満たすセルを特定し、特定されたセル（選択候補セル）の中から、ランダム性を有する値に基づいて、対象セルを選択する。例えば、ＵＥ１００（コントローラ）は、ランダム性を有する値に基づいて、選択候補セルのランキングを補正する。
【００７３】
或いは、ＵＥ１００（コントローラ）は、所定範囲の品質を有するセルの中から、ランダム性を有する値に基づいて、対象セルを選択してもよい。ここで、所定範囲は、現在のサービングセルから報知されるシステム情報（ＳＩＢ；Ｓｙｓｔｅｍ  Ｉｎｆｏｒｍａｔｉｏｎ  Ｂｌｏｃｋ）に含まれることが好ましい。言い換えると、ＵＥ１００（コントローラ）は、所定範囲の品質を有するセルを特定し、特定されたセル（選択候補セル）の中から、ランダム性を有する値に基づいて、対象セルを選択してもよい。所定範囲の品質とは、最もよい品質に対する差異が所定範囲（例えば、５ｄＢ以内など）に含まれる品質であってもよく、ランキングの上位から数えて所定範囲（例えば、上位３つ）のランキングを有するセルの品質であってもよい。例えば、ＵＥ１００（コントローラ）は、ランダム性を有する値に基づいて、選択候補セルのランキングを補正する。
【００７４】
なお、セルのランキングは、例えば、以下のように補正することが可能である。ランダム性を有する値として乱数を用いる場合には、セルのランキングは、Ｒｏｕｎｄｕｐ｛ＲＡＮＤ×（選択候補セル数）｝の関数を用いて変更される。或いは、ランダム性を有する値としてＵＥ−ＩＤを用いる場合には、（ＵＥ  ＩＤ）ｍｏｄ（Ｃｅｌｌ  ＩＤ）≦ｎの関係を満たす選択候補セルの中から、最もランキングの高いセルが対象セルを選択される。但し、ｎは予め定められた値又はサービングセルから報知された値である。
【００７５】
（移動通信方法）
以下において、変更例１に係る移動通信方法について説明する。図８は、変更例１に係る移動通信方法を示すフロー図である。図８に示すフローは、ＵＥ１００によって行われることに留意すべきである。
【００７６】
図８に示すように、ステップＳ２０において、ＵＥ１００は、現在のサービングセルに隣接する隣接セルの品質の測定を開始する開始条件が満たされたか否かを判定する。ＵＥ１００は、判定結果がＹＥＳである場合には、ステップＳ２１の処理を行う。一方で、ＵＥ１００は、判定結果がＮＯである場合には、一連の処理を終了する。
【００７７】
なお、開始条件は、上述したように、以下に示す通りである。
【００７８】
（Ａ１）現在のサービングセルの周波数の優先度よりも高い優先度を有する周波数
−ＵＥ１００は、高い優先度を有する周波数の品質を常に測定する。
【００７９】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【００８０】
ここで、ステップＳ２０においては、上述したように、周波数の優先度（ｃｅｌｌＲｅｓｅｌｅｃｔｉｏｎＰｒｉｏｒｉｔｙ）は、ランダム性を有する値（例えば、ＵＥ−ＩＤ、乱数、ＡＣ）に基づいて補正されてもよい。
【００８１】
ステップＳ２１において、ＵＥ１００は、現在のサービングセルに隣接する隣接セルの品質を測定する。
【００８２】
ここで、ステップＳ２１においては、上述したように、品質（例えば、Ｓｑｕａｌ、Ｓｒｘｌｅｖ、Ｑｍｅａｓ，ｓ、Ｑｍｅａｓ，ｎ）は、ランダム性を有する値（例えば、ＵＥ−ＩＤ、乱数、ＡＣ）に基づいて補正されてもよい。
【００８３】
ステップＳ２２において、ＵＥ１００は、所定品質基準（Ｓ−ｃｒｉｔｅｒｉａやＲ−ｃｒｉｔｅｒｉａ）を満たす品質を有するセル（選択候補セル）の中から、サービングセルとして用いる対象セルを選択する。
【００８４】
ここで、ステップＳ２２においては、上述したように、選択候補セルのランキングは、ランダム性を有する値（例えば、ＵＥ−ＩＤ、乱数、ＡＣ）に基づいて補正されてよい。
【００８５】
なお、図８に係る説明では、変更例１の一部のみを例示しているが、ＵＥ１００は、上述したように、ランダム性を有する値を用いて対象セルを選択していればよいことに留意すべきである。
【００８６】
（作用及び効果）
変更例１に係るＵＥ１００（コントローラ）は、ランダム性を有する値を用いて、対象セルを選択する。すなわち、地理的に近い位置に存在するＵＥ１００であっても、対象セルとして選択するセルにバラツキが生じる。従って、各セルの負荷分散を適切に行うことができる。言い換えると、ＲＲＣアイドル状態のＵＥ１００を各セルに適切に配分することができる。
【００８７】
［変更例２］
以下において、第１実施形態の変更例２について説明する。以下においては、第１実施形態に対する相違点について主として説明する。
【００８８】
具体的には、第１実施形態では、ＵＥ１００は、現在のサービングセルの品質が所定品質基準を満たしている場合であっても、所定タイミングにおいて、現在のサービングセルに隣接する隣接セルの品質を測定する。これに対して、変更例２では、ＵＥ１００（コントローラ）は、第１実施形態で説明した（Ｂ１）〜（Ｂ３）に示すように、ＵＥ１００（コントローラ）は、所定品質基準（Ｓ−ｃｒｉｔｅｒｉａやＲ−ｃｒｉｔｅｒｉａ）を満たす品質を有するセルの中から、サービングセルとして用いる対象セルを選択する。ＵＥ１００（コントローラ）は、１以上のＵＥ１００を含むグループ毎に異なる再選択パラメータに基づいて、対象セルを選択する。
【００８９】
ここで、ＵＥ１００が属するグループは、コネクティッド状態からアイドル状態への遷移手順で用いるメッセージ（例えば、ＲＲＣ  Ｃｏｎｎｅｃｔｉｏｎ  Ｒｅｌｅａｓｅ）によって指定される。メッセージ（例えば、ＲＲＣ  Ｃｏｎｎｅｃｔｉｏｎ  Ｒｅｌｅａｓｅ）は、ＵＥ１００が属するグループを識別するグループ識別情報を含んでもよい。
【００９０】
また、再選択パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００９１】
変更例２において、再選択パラメータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれることが好ましい。すなわち、再選択パラメータを報知するセルは、メッセージ（例えば、ＲＲＣ  Ｃｏｎｎｅｃｔｉｏｎ  Ｒｅｌｅａｓｅ）を送信するセルと異なっていてもよい。但し、再選択パラメータは、メッセージ（例えば、ＲＲＣ  Ｃｏｎｎｅｃｔｉｏｎ  Ｒｅｌｅａｓｅ）に含まれていてもよい。
【００９２】
ここで、ＵＥ１００（コントローラ）は、ＲＲＣアイドル状態からＲＲＣコネクティッド状態に再び遷移するまで、ＵＥ１００が属するグループを維持してもよい。すなわち、ＵＥ１００が属するグループは、ＲＲＣアイドル状態からＲＲＣコネクティッド状態への遷移によって解除される。或いは、ＵＥ１００（コントローラ）は、メッセージ（例えば、ＲＲＣ  Ｃｏｎｎｅｃｔｉｏｎ  Ｒｅｌｅａｓｅ）の受信によって起動するタイマが満了するまで、ＵＥ１００が属するグループを維持してもよい。すなわち、ＵＥ１００が属するグループは、グループの指定によって起動するタイマが満了した際に解除されてもよい。
【００９３】
１以上のＵＥ１００を含むグループは、ＵＥ１００のカテゴリ（スループットの大きさ）、ＵＥ１００の能力（ＭＩＭＯのストリーム数等）、ＵＥ１００のトラフィックに係る統計（Ｓ１  Ｉｎｉｔｉａｌ  ＵＥ  Ｃｏｎｔｅｘｔ  Ｓｅｔｕｐ）、ＵＥ１００の移動性に係る統計（Ｓ１  Ｉｎｉｔｉａｌ  ＵＥ  Ｃｏｎｔｅｘｔ  Ｓｅｔｕｐ）及びＵＥ１００の位置情報（ｍｅａｓｕｒｅｍｅｎｔ  ｒｅｐｏｒｔ含む）の中から選択される１以上の情報に基づいて形成されてもよい。
【００９４】
或いは、１以上のＵＥ１００を含むグループは、ＵＥ１００のアクセス規制に関するアクセスクラス（ＡＣ）によって形成されてもよい。すなわち、再選択パラメータは、ＵＥ１００のアクセス規制に関するアクセスクラス毎に異なる。
【００９５】
（移動通信方法）
以下において、変更例２に係る移動通信方法について説明する。図９は、変更例２に係る移動通信方法を示すシーケンス図である。
【００９６】
図９に示すように、ステップＳ３０において、ＵＥ１００は、ＲＲＣコネクティッド状態である。
【００９７】
ステップＳ３１において、ＵＥ１００は、コネクティッド状態からアイドル状態への遷移手順で用いるメッセージ（ＲＲＣ  Ｃｏｎｎｅｃｔｉｏｎ  Ｒｅｌｅａｓｅ）を受信する。メッセージ（ＲＲＣ  Ｃｏｎｎｅｃｔｉｏｎ  Ｒｅｌｅａｓｅ）は、ＵＥ１００が属するグループを指定する。
【００９８】
ステップＳ３２において、ＵＥ１００は、ＲＲＣアイドル状態である。
【００９９】
ステップＳ３３において、ＵＥ１００は、ｅＮＢ２００（現在のサービングセル）から報知されるシステム情報（ＳＩＢ；Ｓｙｓｔｅｍ  Ｉｎｆｏｒｍａｔｉｏｎ  Ｂｌｏｃｋ）を受信する。システム情報は、１以上のＵＥ１００を含むグループ毎に異なる再選択パラメータを含む。
【０１００】
なお、再選択パラメータを報知するセルは、メッセージ（例えば、ＲＲＣ  Ｃｏｎｎｅｃｔｉｏｎ  Ｒｅｌｅａｓｅ）を送信するセルと異なっていてもよい。
【０１０１】
ステップＳ３４において、ＵＥ１００は、ＵＥ１００が属するグループに割り当てられた再選択パラメータに基づいて、対象セルを選択する。
【０１０２】
（作用及び効果）
変更例２に係るＵＥ１００（コントローラ）は、１以上のＵＥ１００を含むグループ毎に異なる再選択パラメータに基づいて、対象セルを選択する。すなわち、地理的に近い位置に存在するＵＥ１００であっても、グループ毎に対象セルとして選択するセルにバラツキが生じる。従って、各セルの負荷分散を適切に行うことができる。言い換えると、ＲＲＣアイドル状態のＵＥ１００を各セルに適切に配分することができる。
【０１０３】
［変更例３］
以下において、第１実施形態の変更例３について説明する。以下においては、変更例１に対する相違点について主として説明する。
【０１０４】
変更例１では、ＵＥ１００（コントローラ）は、ランダム性を有する値に基づいて、選択候補セルのランキングを補正するケースを例示した。これに対して、変更例３では、ランダム性を有する値に基づいた対象セルの選択方法として他の選択方法を説明する。
【０１０５】
具体的には、ＵＥ１００（受信部）は、コントローラが発生する乱数と対比すべき閾値を含むシステム情報を受信する。ＵＥ１００（コントローラ）は、乱数と閾値との比較結果に基づいて、対象セルを選択する。
【０１０６】
さらに詳細には、ＵＥ１００（コントローラ）は、上述したように、複数のセルのそれぞれの品質の測定結果に基づいて、複数のセルのそれぞれのランキングを算出する。ランキングは、上述したように、現在のサービングセルのランキングＲｓ及び隣接セルのランキングＲｎである。ＵＥ１００（コントローラ）は、乱数と閾値との比較結果に基づいて、対象セルを選択する。
【０１０７】
このようなケースにおいて、システム情報は、ランキング毎に異なる閾値を含む。ＵＥ１００（コントローラ）は、ランキング毎に乱数を発生するとともに、ランキング毎の乱数と閾値との比較結果に基づいて、対象セルを選択する。ＵＥ１００（コントローラ）は、ランキングが高い順に乱数と閾値とを比較するとともに、乱数と閾値との比較結果が選択条件を満たすセルを対象セルとして選択してもよい。
【０１０８】
例えば、システム情報は、ランキングと閾値とを対応付ける情報（Ｒａｎｋｉｎｇ＿Ｎｏ，Ｐｒｏｂａｂｉｌｉｔｙ）を含む。このような情報（Ｒａｎｋｉｎｇ＿Ｎｏ，Ｐｒｏｂａｂｉｌｉｔｙ）は、｛Ｒａｎｋ１，０．６｝，｛Ｒａｎｋ２，０．８｝，｛Ｒａｎｋ３，１．０｝といった情報である。なお、｛Ｒａｎｋ１，０．６｝は、Ｒａｎｋ１に対応付けられた閾値が０．６であることを意味する。同様に、｛Ｒａｎｋ２，０．８｝は、Ｒａｎｋ２に対応付けられた閾値が０．８であることを意味し、｛Ｒａｎｋ３，１．０｝は、Ｒａｎｋ３に対応付けられた閾値が１．０であることを意味する。また、ＵＥ１００（コントローラ）が発生する乱数が取り得る範囲は０〜１である。ここで、乱数と閾値との比較結果が満たすべき選択条件は、例えば、乱数が閾値以下であるという条件である。
【０１０９】
第１に、ＵＥ１００（コントローラ）は、ランキング１のセルを対象セルとして選択として選択するか否かを判定する。すなわち、ＵＥ１００（コントローラ）は、ランキング１のセル用の乱数を発生するとともに、乱数と０．６との比較結果が選択条件を満たすか否かを判定する。例えば、ＵＥ１００（コントローラ）は、乱数が０．８である場合には、選択条件が満たされないと判定する。従って、ＵＥ１００（コントローラ）は、対象セルの選択を継続する。
【０１１０】
第２に、ＵＥ１００（コントローラ）は、ランキング２のセルを対象セルとして選択として選択するか否かを判定する。すなわち、ＵＥ１００（コントローラ）は、ランキング２のセル用の乱数を発生するとともに、乱数と０．８との比較結果が選択条件を満たすか否かを判定する。例えば、ＵＥ１００（コントローラ）は、乱数が０．７である場合には、選択条件が満たされたと判定する。従って、ＵＥ１００（コントローラ）は、ランキング２のセルを対象セルとして選択するとともに、対象セルの選択を終了する。
【０１１１】
上述した対象セルの選択方法によれば、ランキング１のセルが対象セルとして選択される確率は６０％である。ランキング２のセルが対象セルとして選択される確率は３２％（｛１−０．６｝×０．８）である。ランキング３のセルが対象セルとして選択される確率は８％（１−０．６−０．３２）である。このように、システム情報に含まれる閾値は、高いランキングを有するセルが対象セルとして選択されやすいように定められていてもよい。但し、変更例３はこれに限定されるものではなく、システム情報に含まれる閾値は、セルの負荷や能力によって定められてもよい。
【０１１２】
変更例３においては、システム情報がランキングと閾値とを対応付ける情報（Ｒａｎｋｉｎｇ＿Ｎｏ，Ｐｒｏｂａｂｉｌｉｔｙ）を含むケースについて例示した。しかしながら、変更例３はこれに限定されるものではない。例えば、システム情報は、優先度と閾値とを対応付ける情報（Ｐｒｉｏｒｉｔｙ，Ｐｒｏｂａｂｉｌｉｔｙ）を含む。
【０１１３】
このようなケースにおいて、ＵＥ１００（コントローラ）は、優先度毎に乱数を発生するとともに、優先度毎の乱数と閾値との比較結果に基づいて、対象セルを選択する。ＵＥ１００（コントローラ）は、優先度が高い順に乱数と閾値とを比較するとともに、乱数と閾値との比較結果が選択条件を満たすセルを対象セルとして選択してもよい。
【０１１４】
優先度とは、セルが運用されている周波数の優先度であってもよく、セルに固有の優先度であってもよい。
【０１１５】
［変更例４］
以下において、第１実施形態の変更例４について説明する。以下においては、第１実施形態及び変更例３に対する相違点について主として説明する。
【０１１６】
変更例４において、ＵＥ１００（コントローラ）は、現在のサービングセルから報知される複数のトリガー通知のいずれかである参照トリガー通知に応じて、対象セルを選択する（又は再選択する、以下同様）動作（又は手順、以下同様）をトリガーする（又は実行する若しくは開始する、以下同様）。参照トリガー通知は、複数のトリガー通知のいずれか１つのトリガー通知であることが好ましい。但し、参照トリガー通知は、複数のトリガー通知の中の一部のトリガー通知であればよく、２以上のトリガー通知であってもよい。
【０１１７】
ここで、トリガー通知とは、ネットワーク（ここでは、現在のサービングセル）の主導で、対象セルをＵＥ１００が選択する動作を直接的又は間接的にトリガーするための通知であり、一定期間内において複数回に亘って報知される通知であればよい。言い換えれば、トリガー通知とは、対象セルを選択する動作を実行するようＵＥ１００に指示する通知であってもよい。
【０１１８】
例えば、トリガー通知は、第１実施形態で説明したシステム情報（ＳＩＢ；Ｓｙｓｔｅｍ  Ｉｎｆｏｒｍａｔｉｏｎ  Ｂｌｏｃｋ）であってもよい。第１実施形態で説明したシステム情報は、ＵＥ１００が隣接セルの品質測定を開始する所定タイミングを特定するための情報を含む。従って、第１実施形態で説明したシステム情報は、対象セルをＵＥ１００が選択する動作を直接的にトリガーすることに留意すべきである。
【０１１９】
或いは、トリガー通知は、変更例３で説明したシステム情報（ＳＩＢ；Ｓｙｓｔｅｍ  Ｉｎｆｏｒｍａｔｉｏｎ  Ｂｌｏｃｋ）であってもよい。上述したように、変更例３で説明したシステム情報は、乱数と対比すべき閾値を含む。或いは、変更例３で説明したシステム情報は、ランキングと閾値とを対応付ける情報（Ｒａｎｋｉｎｇ＿Ｎｏ，Ｐｒｏｂａｂｉｌｉｔｙ）を含んでもよい。或いは、変更例３で説明したシステム情報は、優先度と閾値とを対応付ける情報（Ｐｒｉｏｒｉｔｙ，Ｐｒｏｂａｂｉｌｉｔｙ）を含んでもよい。なお、ＵＥ１００（コントローラ）は、変更例３で説明したシステム情報の受信に応じて、乱数と閾値との比較結果が選択条件を満たすセルを対象セルとして選択する。従って、変更例３で説明したシステム情報は、対象セルをＵＥ１００が選択する動作を間接的にトリガーすることに留意すべきである。
【０１２０】
このようなケースにおいて、複数のトリガー通知のそれぞれは、カウンタ値を含む。ＵＥ１００（コントローラ）は、対象セルを選択する動作のトリガー（又は実行、以下同様）に応じて、参照トリガー通知に含まれるカウンタ値をカウンタに格納する。例えば、ＵＥ１００は、メモリ１５０にカウンタを保持する。ＵＥ１００は、参照トリガー通知に応じて対象セルを選択する動作をトリガーする毎に、カウンタにカウンタ値を蓄積してもよい。ＵＥ１００（コントローラ）は、現在のサービングセルから報知されるトリガー通知に含まれるカウンタ値がカウンタに格納されるカウンタ値と一致する場合に、当該トリガー通知に応じて対象セルを選択する動作をトリガーしない（又は実行を禁止する）。一方で、ＵＥ１００（コントローラ）は、現在のサービングセルから報知されるトリガー通知に含まれるカウンタ値がカウンタに格納されるカウンタ値と一致しない場合に、対象セルを選択する動作をトリガーする。これによって、一定期間内にいて複数回に亘って報知されるトリガー通知のいずれかのトリガー通知（すなわち、参照トリガー通知）に応じて、ＵＥ１００によって対象セルを選択する動作が１回だけトリガーされる。言い換えると、一定期間内における複数のトリガー通知のそれぞれに応じて、対象セルを選択する動作が複数回に亘ってトリガーされる事態が抑制される。言い換えれば、ＵＥ１００は、一種類のトリガー通知に応じて、対象セルを選択する動作を最大１回トリガーする。なお、カウンタ値は、所定の数値（０〜９等）であってもよい。
【０１２１】
なお、複数のトリガー通知のそれぞれに含まれるカウンタ値は、対象セルを選択する動作をＵＥ１００にトリガーさせようとするタイミングにおいて現在のサービングセルによって更新される。すなわち、現在のサービングセルは、ＲＲＣアイドル状態のＵＥ１００を各セルに再配分しようとするタイミングにおいて、更新されたカウンタ値を含むトリガー通知を一定期間内において複数回に亘って報知する。
【０１２２】
（作用及び効果）
ここで、複数のトリガー通知のそれぞれに応じて、対象セルを選択する動作がＵＥ１００によって複数回に亘ってトリガーされると、現在のサービングセルに在圏する殆どのＵＥ１００が対象セルの選択を行ってしまう。言い換えると、殆どのＵＥ１００が同様のセルをサービングセルとして選択してしまい、結果として、ＲＲＣアイドル状態のＵＥ１００を各セルに適切に配分することができない。
【０１２３】
これに対して、変更例４では、ＵＥ１００（コントローラ）は、現在のサービングセルから報知される複数のトリガー通知のいずれかである参照トリガー通知に応じて、対象セルを選択する動作をトリガーする。従って、ＲＲＣアイドル状態のＵＥ１００を各セルに適切に配分することができる。
【０１２４】
［変更例５］
以下において、第１実施形態の変更例５について説明する。以下においては、変更例４に対する相違点について主として説明する。
【０１２５】
変更例４では、トリガー通知は、第１実施形態又は変更例３で説明したシステム情報（ＳＩＢ；Ｓｙｓｔｅｍ  Ｉｎｆｏｒｍａｔｉｏｎ  Ｂｌｏｃｋ）である。これに対して、変更例５では、トリガー通知は、対象セルの再選択を要求する再選択要求信号である。
【０１２６】
変更例５において、ＵＥ１００（受信部）は、対象セルの再選択を要求する再選択要求信号を現在のサービングセルから受信する。ＵＥ１００（コントローラ）は、再選択要求信号の受信に応じて、対象セルの再選択を行う。ここで、ＵＥ１００（コントローラ）は、上述した（Ａ１）及び（Ａ２）に示す開始条件が満たされなくても、対象セルの再選択に伴う隣接セルの品質測定を開始することに留意すべきである。
【０１２７】
ここで、現在のサービングセルは、現在のサービングセルの負荷が所定負荷以上である場合に、再選択要求信号を報知する。現在のサービングセルは、現在のサービングセルの負荷が所定負荷以上である期間において、再選択要求信号を繰り返し報知することが好ましい。言い換えると、ＵＥ１００（受信部）は、現在のサービングセルの負荷が所定負荷以上である場合に、再選択要求信号を現在のサービングセルから受信する。ＵＥ１００（受信部）は、現在のサービングセルの負荷が所定負荷以上である期間において、再選択要求信号を繰り返し受信することが好ましい。
【０１２８】
変更例５において、再選択要求信号は、現在のサービングセルが対象セルとして選択されにくくするための再選択パラメータを含む。ＵＥ１００（コントローラ）は、再選択パラメータに基づいて、対象セルを選択する。詳細には、再選択パラメータは、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであってもよく、現在のサービングセルの周波数の優先度（ｃｅｌｌＲｅｓｅｌｅｃｔｉｏｎＰｒｉｏｒｉｔｙ）を下げる段階数を示すオフセットであってもよい。或いは、再選択パラメータは、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）であってもよい。
【０１２９】
変更例５において、再選択要求信号の受信に応じて適用される再選択パラメータは、再選択要求信号に含まれておらず、現在のサービングセルから再選択要求信号とは別に報知されるシステム情報（ＳＩＢ；Ｓｙｓｔｅｍ  Ｉｎｆｏｒｍａｔｉｏｎ  Ｂｌｏｃｋ）に含まれてもよい。或いは、再選択要求信号の受信に応じて適用される再選択パラメータは、予め定められていてもよい。このようなケースにおいて、ＵＥ１００（コントローラ）は、再選択要求信号の受信に応じて、現在のサービングセルから報知された再選択パラメータ又は予め定められた再選択パラメータに基づいて対象セルの再選択を行う。
【０１３０】
変更例５において、ＵＥ１００（コントローラ）は、再選択要求信号を受信しても、所定条件が満たされている場合に、対象セルの再選択を行わずに現在のサービングセルへの在圏を維持してもよい。所定条件とは、ＵＥ１００の種別（ＵＥ  ｃｌａｓｓ）、現在のサービングセルの周波数の優先度、ＵＥ１００の消費電力設定、前回の再選択要求信号を受信してから経過した時間及びランダム性を有する値の少なくともいずれか１つ情報に関する条件である。
【０１３１】
例えば、ＵＥ１００の種別（ＵＥ  ｃｌａｓｓ）がＭＴＣ（Ｍａｃｈｉｎｅ  Ｔｙｐｅ  Ｃｏｍｍｕｎｉｃａｔｉｏｎ）やデータ専用端末である場合には、通信データ量が少ないため、ＵＥ１００（コントローラ）は、対象セルの再選択を行わずに現在のサービングセルへの在圏を維持することが好ましい。
【０１３２】
或いは、現在のサービングセルの周波数の優先度が最も高い優先度（ｈｉｇｈｅｓｔ  ｐｒｉｏｒｉｔｙ）である場合には、ＭＢＭＳデータを受信している可能性やＤ２Ｄ近傍サービス（Ｄ２Ｄ  ＰｒｏＳｅ）を提供している可能性が高いため、ＵＥ１００（コントローラ）は、対象セルの再選択を行わずに現在のサービングセルへの在圏を維持することが好ましい。
【０１３３】
或いは、ＵＥ１００の消費電力設定が低消費電力設定である場合には、消費電力を抑制するために、ＵＥ１００（コントローラ）は、対象セルの再選択を行わずに現在のサービングセルへの在圏を維持することが好ましい。
【０１３４】
或いは、前回の再選択要求信号を受信してから経過した時間が所定時間を経過していない場合には、ピンポン現象を抑制するために、ＵＥ１００（コントローラ）は、対象セルの再選択を行わずに現在のサービングセルへの在圏を維持することが好ましい。例えば、ＵＥ１００（コントローラ）は、前回の再選択要求信号を受信したタイミングでタイマを起動し、タイマが満了するまでの間において、対象セルの再選択を行わないことが好ましい。
【０１３５】
或いは、ＵＥ１００（コントローラ）は、複数のＵＥ１００が一斉に対象セルの再選択を行う事態を抑制するとともに、ＵＥ１００を各セルにランダムに配分するために、ランダム性を有する値が所定値以外である場合に、対象セルの再選択を行わずに現在のサービングセルへの在圏を維持することが好ましい。ランダム性を有する値とは、現在のサービングセルに在圏する全てのＵＥ１００に共通する値でなければよい。例えば、ランダム性を有する値とは、再選択要求信号をＵＥ１００が受信するサブフレーム番号（ＳＦＮ）であってもよく、再選択要求信号を受信するＵＥ１００の識別子（ＵＥ−ＩＤ）であってもよく、ＵＥ１００が発生する乱数であってもよい。例えば、ＵＥ１００（コントローラ）は、ＳＦＮｍｏｄＵＥ−ＩＤ（÷ｎ）＝０が満たされた場合に、対象セルの再選択を行い、ＳＦＮｍｏｄＵＥ−ＩＤ（÷ｎ）＝０が満たされない場合に、対象セルの再選択を行わない。但し、ｎは予め定められた値又はサービングセルから報知された値である。
【０１３６】
［変更例６］
以下において、第１実施形態の変更例５について説明する。以下においては、第１実施形態、変更例１乃至変更例５のいずれかに対する相違点について主として説明する。
【０１３７】
具体的には、第１実施形態、変更例１乃至変更例５では、システム情報（ＳＩＢ；Ｓｙｓｔｅｍ  Ｉｎｆｏｒｍａｔｉｏｎ  Ｂｌｏｃｋ）などの信号は、現在のサービングセルからＵＥ１００に対して報知される。
【０１３８】
これに対して、変更例６では、現在のサービングセルから報知されるシステム情報などの信号は、ＵＥ１００に対して報知されるとともに、現在のサービングセル（ｅＮＢ２００）に隣接する隣接セル（ｅＮＢ２００）に対しても通知される。或いは、現在のサービングセル（ｅＮＢ２００）の負荷状態は、現在のサービングセル（ｅＮＢ２００）に隣接する隣接セル（ｅＮＢ２００）に対しても通知される。システム情報などの信号や負荷状態は、２以上のｅＮＢ２００を接続するＸ２インターフェイスを介して各セル間で交換される。これによって、各セルで報知されているシステム情報などの信号（対象セルの再選択を促すパラメータ）や各セルの負荷状態が各セルで共有されるため、複数のセルの協調制御を行うことが可能である。
【０１３９】
例えば、互いに隣接する複数のセルの負荷がいずれも高いケースにおいて、複数のセルの間において対象セルの再選択が頻繁に生じる現象（ピンポン現象）を抑制することができる。詳細には、現在のサービングセルは、隣接セルでシステム情報などの信号（対象セルの再選択を促すパラメータ）が報知されているケース又は隣接セルの負荷が閾値よりも高いケースにおいて、ＵＥ１００に対するシステム情報などの信号（対象セルの再選択を促すパラメータ）の報知をペンディングする。
【０１４０】
ここで、システム情報などの信号は、第１実施形態で説明したように、隣接セルの品質測定を開始するタイミング（特定タイミング）を特定するためのパラメータを含んでもよい。或いは、システム情報などの信号は、変更例１で説明したように、ランダム性を有する値に基づいた対象セルの選択で参照される所定範囲を含んでもよい。或いは、システム情報などの信号は、変更例２で説明したように、１以上のＵＥ１００を含むグループ毎に異なる再選択パラメータを含んでもよい。或いは、システム情報などの信号は、変更例３で説明したように、コントローラが発生する乱数と対比すべき閾値を含んでもよい。或いは、システム情報などの信号は、変更例４で説明したように、対象セルの再選択を促すためのトリガー通知を含んでもよい。或いは、システム情報などの信号は、変更例５で説明したように、対象セルの再選択を促す再選択要求信号を含んでもよく、再選択要求信号の受信に応じて適用される再選択パラメータを含んでもよい。
【０１４１】
［変更例７］
以下において、第１実施形態の変更例７について説明する。以下においては、変更例５に対する相違点について主として説明する。
【０１４２】
変更例５では特に触れていないが、変更例７において、再選択要求信号は、ｅＮＢ２００（サービングセル）から報知されるページング信号に含まれる。
【０１４３】
具体的には、ｅＮＢ２００（サービングセル）の送信部は、異なるページング機会でページング信号を報知する。ｅＮＢ２００（サービングセル）は、対象セルの再選択を要求する再選択要求信号を含むページング信号を報知する。
【０１４４】
ここで、ページング機会は、ページング信号を含むサブフレームである。１以上のページング機会が無線フレーム（ページングフレーム）に含まれる。ページングフレーム（ＰＦ）は、ＰＦ＝ＳＦＮｍｏｄＴ＝（ＴｄｉｖＮ）ｘ（ＵＥ＿ＩＤｍｏｄＮ）によって算出される。但し、Ｔは、ＵＥ１００のＤＲＸサイクルであり、Ｎは、ｍｉｎ（Ｔ，ｎＢ）で表される。ｎＢは、４Ｔ，２Ｔ，Ｔ，Ｔ／２，Ｔ／４，Ｔ／８，Ｔ／１６及びＴ／３２の中から選択される値である。ページング機会は、Ｎｓ及びｉ＿ｓの関係によって定義される。ｉ＿ｓは、ｉ＿ｓ＝ｆｌｏｏｒ（ＵＥ＿ＩＤ／Ｎ）ｍｏｄＮｓで表され、Ｎｓは、ｍａｘ（１，ｎＢ／Ｔ）で表される。
【０１４５】
変更例７では、ｅＮＢ２００（サービングセル）は、再選択要求信号を含むページング信号として、第１ページング機会で第１ページング信号を報知し、再選択要求信号を含まないページング信号として、第１ページング機会とは異なる第２ページング機会で第２ページング信号を報知する。言い換えると、ｅＮＢ２００（サービングセル）は、ページング信号に再選択要求信号を含める否かをページング周期毎に判定し、再選択要求信号を含むページング信号又は再選択要求信号を含まないページング信号をページング周期毎に報知する。
【０１４６】
一方で、ＵＥ１００（受信部）は、現在のサービングセルから報知されるページング信号を受信する。ＵＥ１００は、自端末に割り当てられたページング周期でページング信号を受信することに留意すべきである。ＵＥ１００（コントローラ）は、ページング信号に含まれる再選択要求信号に応じて、対象セルの再選択を行う。ＵＥ１００は、変更例５と同様に、上述した（Ａ１）及び（Ａ２）に示す開始条件が満たされなくても、対象セルの再選択に伴う隣接セルの品質測定を開始することに留意すべきである。
【０１４７】
変更例７では、ＵＥ１００は、自端末に割り当てられたページング周期で受信するページング信号が自端末宛のページング信号ではなくても、ページング信号に含まれる再選択要求信号に応じて、対象セルの再選択を行うことが好ましい。
【０１４８】
（作用及び効果）
変更例７では、ＵＥ１００は、ページング信号に含まれる再選択要求信号に応じて、対象セルの再選択を行う。すなわち、ネットワーク（現在のサービングセル）側のトリガーによって、対象セルの再選択をＲＲＣアイドル状態のＵＥ１００に促す。従って、各セルの負荷分散を適切に行うことができる。言い換えると、ＲＲＣアイドル状態のＵＥ１００を各セルに適切に配分することができる。
【０１４９】
ここで、ページング周期はＵＥ１００毎に異なるため、ページング信号に含まれる再選択要求信号に応じて対象セルの再選択を行うＵＥ１００のランダム性が担保され、ＲＲＣアイドル状態のＵＥ１００を各セルに適切に配分することができる。
【０１５０】
変更例７では、ｅＮＢ２００（サービングセル）は、ページング信号に再選択要求信号を含めるか否かをページング周期毎に判定し、再選択要求信号を含むページング信号又は再選択要求信号を含まないページング信号をページング周期毎に報知する。従って、ページング信号に含まれる再選択要求信号に応じて対象セルの再選択を行うＵＥ１００の割合を、ある程度、ｅＮＢ２００（サービングセル）側で制御することができる。例えば、ｅＮＢ２００（サービングセル）の負荷に応じて、対象セルの再選択を行うＵＥ１００の割合を決定することによって、各セルの負荷分散を適切に行うことができる。
【０１５１】
［変更例８］
以下において、第１実施形態の変更例８について説明する。以下においては、変更例１に対する相違点について主として説明する。
【０１５２】
具体的には、変更例１では、ＵＥ１００（コントローラ）は、ランダム性を有する値（例えば、ＵＥ−ＩＤ、乱数、ＡＣ）に基づいて、品質（例えば、Ｓｑｕａｌ、Ｓｒｘｌｅｖ、Ｑｍｅａｓ，ｓ、Ｑｍｅａｓ，ｎ）を補正するケースについて例示した。このようなケースにおいて、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）は、例えば、ｏｆｆｓｅｔ＝（ｄｅｆａｕｌｔ  ｏｆｆｓｅｔ）×（ＵＥ−ＩＤ÷ｎ）によって算出される。
【０１５３】
これに対して、変更例８では、ＵＥ１００（コントローラ）は、ランダム性を有する値（例えば、ＵＥ−ＩＤ、乱数、ＡＣ）に基づいて、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を補正する。各種閾値は、上述したように、対象セルの選択で用いる各種パラメータの一例である。各種閾値は、例えば、ｔｈｒｅｓｈｏｌｄ＝（ｄｅｆａｕｌｔ  ｔｈｒｅｓｈｏｌｄ）×（ＵＥ−ＩＤ÷ｎ）によって算出される。但し、ｎは予め定められた値又はサービングセルから報知された値である。
【０１５４】
［変更例９］
以下において、第１実施形態の変更例９について説明する。以下においては、変更例５に対する相違点について主として説明する。
【０１５５】
変更例５では、ＵＥ１００（コントローラ）は、再選択要求信号の受信に応じて、対象セルの再選択を行う。ＵＥ１００は、再選択要求信号に含まれる再選択パラメータに基づいて対象セルを選択する。これに対して、変更例９では、ＵＥ１００（コントローラ）は、再選択要求信号に依存しないトリガーに応じて、第１再選択処理を行うとともに、再選択要求信号の受信に応じて、第１再選択処理とは異なる第２再選択処理を行う。
【０１５６】
ここで、第１再選択処理は、上述した開始条件（Ａ１）〜（Ａ２）のいずれかが満たされた場合に、現在のサービングセルに隣接する隣接セルの品質を測定し、上述した選択条件（Ｂ１）〜（Ｂ３）のいずれかが満たされた場合に、対象セルを選択する処理である。これに対して、第２再選択処理は、対象セルの再選択において第１選択処理とは異なるルールが適用される処理である。第２再選択処理に適用されるルールは、以下に示す通りである。
【０１５７】
（ルール１）
第２再選択処理に適用されるルール１では、ＵＥ１００は、予め設定されている周波数の優先度（ｃｅｌｌＲｅｓｅｌｅｃｔｉｏｎＰｒｉｏｒｉｔｙ）を用いない。
【０１５８】
例えば、ＵＥ１００は、予め設定されている周波数の優先度に代えて、各セル又は周波数の優先度として同一の優先度を用いる。このようなケースでは、開始条件として、上述した（Ａ２）のみが用いられてもよい。また、選択条件として、上述した（Ｂ２）のみが用いられてもよい。
【０１５９】
或いは、ＵＥ１００は、予め設定されている周波数の優先度（ｃｅｌｌＲｅｓｅｌｅｃｔｉｏｎＰｒｉｏｒｉｔｙ）を無視してもよい。このようなケースでは、開始条件として、上述した（Ａ１）及び（Ａ２）のいずれか１つのみが用いられてもよい。選択条件として、上述した（Ｂ１）〜（Ｂ３）のいずれか１つのみが用いられてもよい。
【０１６０】
なお、上述した（Ｂ２）は、現在のサービングセルのランキングＲｓ及び隣接セルのランキングＲｎに基づいて対象セルの再選択を行う処理（ランキング処理）である。すなわち、（Ｂ２）のみが用いられるケースにおいては、再選択要求信号の受信に応じて、全てのセルを対象としてランキング処理が行われることに留意すべきである。或いは、再選択要求信号の受信に応じて、一定品質以上の品質を有するセルを対象としてランキング処理が行われることに留意すべきである。
【０１６１】
（ルール２）
第２再選択処理に適用されるルール２では、ＵＥ１００は、再選択要求信号の受信に応じて、現在のサービングセルから報知される報知情報に含まれる測定対象周波数の品質の測定を開始する。報知情報は、例えば、Ｉｎｔｒａ−ｆｒｅｑｕｅｎｃｙの測定周波数を指定するＳＩＢ４であってもよく、Ｉｎｔｅｒ−Ｆｒｅｑｕｅｎｃｙの測定周波数を指定するＳＩＢ５であってもよい。
【０１６２】
ここで、ＵＥ１００は、第１選択処理において、現在のサービングセルのセル選択品質レベル（Ｓｑｕａｌ又はＳｒｘｌｅｖ）が閾値（ＳＩｎｔｒａＳｅａｒｃｈＰ又はＳＩｎｔｒａＳｅａｒｃｈＱ）よりも小さい場合に、Ｉｎｔｒａ−ｆｒｅｑｕｅｎｃｙの測定を開始する。同様に、ＵＥ１００は、現在のサービングセルのセル選択品質レベル（Ｓｑｕａｌ又はＳｒｘｌｅｖ）が閾値（ＳＩｎｔｅｒＳｅａｒｃｈＰ又はＳＩｎｔｅｒＳｅａｒｃｈＱ）よりも小さい場合に、Ｉｎｔｅｒ−ｆｒｅｑｕｅｎｃｙの測定を開始する。このような前提下において、ＵＥ１００は、閾値（ＳＩｎｔｒａＳｅａｒｃｈＰ又はＳＩｎｔｒａＳｅａｒｃｈＱ）の設定を無視して、再選択要求信号の受信に応じて、Ｉｎｔｒａ−ｆｒｅｑｕｅｎｃｙの測定を開始してもよい。或いは、ＵＥ１００は、閾値（ＳＩｎｔｅｒＳｅａｒｃｈＰ又はＳＩｎｔｅｒＳｅａｒｃｈＱ）を無視して、再選択要求信号の受信に応じて、Ｉｎｔｅｒ−ｆｒｅｑｕｅｎｃｙの測定を開始してもよい。或いは、ＵＥ１００は、セル選択品質レベル（Ｓｑｕａｌ又はＳｒｘｌｅｖ）を最小値として扱って、再選択要求信号の受信に応じて、測定対象周波数の品質の測定を開始してもよい。
【０１６３】
（ルール３）
第２再選択処理に適用されるルール３は、ランキング処理において対象セルを選択するルールである。第１処理に適用されるルールでは、最もランキングの高いセル又は現在のサービングセルよりもランキングの高いセルが対象セルとして選択される。これに対して、第２再選択処理に適用されるルール３では、以下のような処理が行われる。
【０１６４】
例えば、ＵＥ１００は、対象セルの選択において、ランダム性を有する値を用いて対象セルを選択する。例えば、ＵＥ１００は、所定品質基準（Ｓ−ｃｒｉｔｅｒｉａやＲ−ｃｒｉｔｅｒｉａ）を満たす品質を有するセルを特定し、特定されたセル（選択候補セル）の中から、ランダム性を有する値に基づいて、対象セルを選択する。このようなケースにおいて、ＵＥ１００は、ランダム性を有する値に基づいて、選択候補セルのランキングを補正する。なお、ランダム性を有する値は、例えば、ＵＥ−ＩＤ、乱数、ＡＣである。
【０１６５】
或いは、ＵＥ１００は、最もランキングの高くないセルを対象セルとして選択してもよく、ＵＥ１００は、現在のサービングセルよりもランキングの高くないセルを対象セルとして選択してもよい。
【０１６６】
或いは、ＵＥ１００は、ランキング処理において、ＲＳＲＰ以外の品質（ＲＳＲＱ又はＳＩＮＲなど）に基づいて、現在のサービングセル又は隣接セルのランキングを決定してもよい。このようなルールは、上述した“Ｒ−ｃｒｉｔｅｒｉａ”の拡張と考えてもよい。
【０１６７】
（ルール４）
第２再選択処理に適用されるルール４では、ＵＥ１００は、対象セルの再選択に関する時間閾値を用いない。具体的には、時間閾値は、隣接セルのセル選択品質レベル（Ｓｑｕａｌ又はＳｒｘｌｅｖ）が所定条件を継続して満たす時間と比較される所定期間（ＴｒｅｓｅｌｅｃｔｉｏｎＲＡＴ）、現在のサービングセルに在圏してから経過した時間と比較される禁止時間閾値（例えば、１秒）である。すなわち、第２再選択処理において、ＵＥ１００は、所定期間（ＴｒｅｓｅｌｅｃｔｉｏｎＲＡＴ）又は禁止時間閾値（例えば、１秒）をゼロとして扱う。或いは、ＵＥ１００は、所定期間（ＴｒｅｓｅｌｅｃｔｉｏｎＲＡＴ）又は禁止時間閾値（例えば、１秒）を無視する。
【０１６８】
（ルール５）
第２再選択処理に適用されるルール５では、第２再選択処理が適用される期間が一定期間に亘って継続する。
【０１６９】
例えば、第２再選択処理によって第１セルが対象セルとして選択された後に、第２再選択処理によって第２セルが対象セルとして選択されるまで、第２再選択処理が適用される。
【０１７０】
或いは、タイマが起動中である期間において、第２再選択処理が適用される。タイマは、再選択要求信号の受信によって起動されてもよく、第２再選択処理における対象セルの選択によって起動されてもよい。タイマの起動時間は、現在のサービングセルから報知されてもよく、再選択要求信号に含まれていてもよい。
【０１７１】
或いは、第２再選択処理を解除するメッセージ（例えば、Ｒｅｓｅｌｅｃｔｉｏｎ  Ｒｅｑｕｅｓｔ  Ｃａｎｃｅｌ）を受信するまで、第２再選択処理が適用されてもよい。
【０１７２】
［変更例１０］
以下において、第１実施形態の変更例１０について説明する。以下においては、第１実施形態に対する相違点について主として説明する。
【０１７３】
第１実施形態では、セルの再選択処理において、測定対象又は選択対象の周波数（以下、測定対象周波数）について特に触れていない。測定対象周波数は、一般的には、現在のサービングセルから報知される報知情報に含まれる。報知情報は、例えば、Ｉｎｔｒａ−ｆｒｅｑｕｅｎｃｙの測定周波数を指定するＳＩＢ４であってもよく、Ｉｎｔｅｒ−Ｆｒｅｑｕｅｎｃｙの測定周波数を指定するＳＩＢ５であってもよい。これに対して、変更例１０では、ＲＲＣアイドル状態のＵＥ１００を各セルに適切に配分するための処理（以下、ＵＥ分配処理）において、測定対象周波数を絞り込む方法について説明する。測定対象周波数の絞り込み方法は、例えば、以下に示す通りである。
【０１７４】
（第１方法）
第１方法では、測定対象周波数は、現在のサービングセルの周波数の優先度（ｃｅｌｌＲｅｓｅｌｅｃｔｉｏｎＰｒｉｏｒｉｔｙ）と同じ優先度を有する周波数に絞り込まれる。
【０１７５】
（第２方法）
第２方法では、周波数の優先度として、既存優先度（第１優先度）に加えて、拡張優先度（第２優先度）が導入される。測定対象周波数は、現在のサービングセルの周波数の既存優先度と同じ既存優先度を有しており、かつ、現在のサービングセルの周波数の拡張優先度と同じ拡張優先度を有する周波数に絞り込まれる。
【０１７６】
（第３方法）
第３方法では、第２方法と同様に、周波数の優先度として、既存優先度（第１優先度）に加えて、拡張優先度（第２優先度）が導入される。測定対象周波数は、既存優先度に依存せずに、拡張優先度が設定されている周波数に絞り込まれる。
【０１７７】
（第４方法）
第４方法では、第２方法と同様に、周波数の優先度として、既存優先度（第１優先度）に加えて、拡張優先度（第２優先度）が導入される。測定対象周波数は、既存優先度に依存せずに、現在のサービングセルの周波数の拡張優先度と同じ拡張優先度を有する周波数に絞り込まれる。
【０１７８】
（第５方法）
第５方法では、第１方法〜第４方法によって絞り込まれた周波数の優先度よりも高い優先度を有する周波数が検出された場合には、上述した選択条件（Ｂ１）〜（Ｂ３）のいずれかが満たされた場合に対象セルを選択する処理（すなわち、変更例９で説明した第１再選択処理）が適用されてもよい。
【０１７９】
変更例１０では、ＵＥ分配処理において測定対象周波数を絞り込む方法について説明した。ここで、ＵＥ分配処理とは、第１実施形態〜変更例９に示す方法のうち、いずれの方法であってもよい。例えば、ＵＥ分配処理は、変更例１、３、８で説明したように、ランダム性を有する値を用いて対象セルを選択する処理であってもよい。或いは、ＵＥ分配処理は、変更例２で説明したように、グループ毎に異なる再選択パラメータを用いて対象セルを選択する処理であってもよい。ＵＥ分配処理は、変更例４、５、７、９で説明したように、トリガー通知（例えば、再選択要求信号）に応じて対象セルを選択する処理であってもよい。
【０１８０】
［変更例１１］
以下において、第１実施形態の変更例１１について説明する。以下においては、変更例５に対する相違点について主として説明する。
【０１８１】
変更例５では、ＵＥ１００（受信部）は、対象セルの再選択を要求する再選択要求信号を現在のサービングセルから受信する。ＵＥ１００（コントローラ）は、再選択要求信号の受信に応じて、対象セルの再選択を行う。
【０１８２】
これに対して、変更例１１では、ＵＥ１００（コントローラ）は、再選択要求信号を受信し、かつ、所定トリガー条件が満たされる場合に、対象セルの再選択を行ってもよい。すなわち、ＵＥ１００（コントローラ）は、再選択要求信号を受信した場合であっても、所定トリガー条件が満たされない場合に、対象セルの再選択を行わなくてもよい。
【０１８３】
変更例１１において、所定トリガー条件は、現在のサービングセルの周波数の優先度（ｃｅｌｌＲｅｓｅｌｅｃｔｉｏｎＰｒｉｏｒｉｔｙ）が高優先度（Ｈｉｇｈ  Ｐｒｉｏｒｉｔｙ）ではないという条件である。
【０１８４】
例えば、現在のサービングセルがＣＳＧ（Ｃｌｏｓｅｄ  Ｓｕｂｓｃｒｉｂｅｒ  Ｇｒｏｕｐ）セルである場合には、ＣＳＧセルの周波数の優先度が高優先度に設定される。このようなケースにおいて、所定トリガー条件は、現在のサービングセルがＣＳＧセルではないことである。従って、ＵＥ１００は、再選択要求信号を受信し、かつ、現在のサービングセルがＣＳＧセルでない場合に、対象セルの再選択を行う。一方で、ＵＥ１００は、再選択要求信号を受信した場合であっても、現在のサービングセルがＣＳＧセルである場合に、対象セルの再選択を行わない。但し、現在のサービングセルの隣接セルにＣＳＧセルが含まれる場合には、ＵＥ１００は、現在のサービングセルがＣＳＧセルであっても、対象セルの再選択を行ってもよい。
【０１８５】
或いは、現在のサービングセルの周波数においてＤ２Ｄ近傍サービス（Ｄ２Ｄ  ＰｒｏＳｅ）が設定されている場合には、現在のサービングセルの優先度が高優先度に設定される。このようなケースにおいて、所定トリガー条件は、現在のサービングセルの周波数においてＤ２Ｄ近傍サービスが設定されていないこと、或いは、現在のサービングセルに在圏していなくてもＤ２Ｄ近傍サービスが設定可能であることである。従って、ＵＥ１００は、現在のサービングセルの周波数においてＤ２Ｄ近傍サービスが設定されていないケース、或いは、現在のサービングセルに在圏していなくてもＤ２Ｄ近傍サービスが設定可能であるケースにおいて、再選択要求信号を受信した場合に、対象セルの再選択を行う。一方で、ＵＥ１００は、再選択要求信号を受信した場合であっても、現在のサービングセルの周波数においてＤ２Ｄ近傍サービスが設定されており、かつ、現在のサービングセルに在圏していないとＤ２Ｄ近傍サービスが設定できない場合に、対象セルの再選択を行わない。なお、Ｄ２Ｄ近傍サービスが設定可能であるか否かは、ネットワーク（ｅＮＢ２００など）の設定だけではなくて、ＵＥ１００の能力（Ｃａｐａｂｉｌｉｔｙ）によっても影響される。
【０１８６】
或いは、現在のサービングセルの周波数で提供されるＭＢＭＳサービスにＵＥ１００が興味を有する場合には、現在のサービングセルの優先度が高優先度に設定される。このようなケースにおいて、所定トリガー条件は、現在のサービングセルの周波数で提供されるＭＢＭＳサービスにＵＥ１００が興味を有していないこと、或いは、現在のサービングセルの隣接セルの周波数でＵＥ１００が興味を有するＭＢＭＳサービスが提供されていることである。従って、ＵＥ１００は、現在のサービングセルの周波数で提供されるＭＢＭＳサービスにＵＥ１００が興味を有していないケース、或いは、現在のサービングセルの隣接セルの周波数でＵＥ１００が興味を有するＭＢＭＳサービスが提供されているケースにおいて、再選択要求信号を受信した場合に、対象セルの再選択を行う。一方で、ＵＥ１００は、再選択要求信号を受信した場合であっても、現在のサービングセルの周波数で提供されるＭＢＭＳサービスにＵＥ１００が興味を有しており、かつ、現在のサービングセルの隣接セルの周波数でＵＥ１００が興味を有するＭＢＭＳサービスが提供されていない場合に、対象セルの再選択を行わない。
【０１８７】
［変更例１２］
以下において、第１実施形態の変更例１２について説明する。以下においては、変更例５に対する相違点について主として説明する。
【０１８８】
変更例５では、再選択パラメータが、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであるケースを例示した。これに対して、変更例１２では、最低の優先度（ｌｏｗｅｓｔ  ｐｒｉｏｒｉｔｙ）の定義について明確にする。
【０１８９】
具体的には、最低の優先度とは、ネットワーク（ｅＮＢ２００）側で設定可能な優先度のうち、最も低い優先度よりも低い優先度であってもよい。
【０１９０】
或いは、最低の優先度は、現在のサービングセルの隣接セルから報知される報知情報（ＳＩＢ５等）に含まれており、ＵＥ１００によって受信される報知情報に含まれる優先度（ｃｅｌｌＲｅｓｅｌｅｃｔｉｏｎＰｒｉｏｒｉｔｙ）のうち、最も低い優先度よりも低い優先度であってもよい。すなわち、最低の優先度は、隣接セルの優先度のうち、最も低い優先度よりも低い優先度であってもよい。
【０１９１】
ここで、ＵＥ１００は、変更例５で既に記載したように、現在のサービングセルから報知される報知情報（ＳＩＢ３）に含まれる優先度（ｃｅｌｌＲｅｓｅｌｅｃｔｉｏｎＰｒｉｏｒｉｔｙ）を最低の優先度に読み替えてもよい。
【０１９２】
なお、優先度（ｃｅｌｌＲｅｓｅｌｅｃｔｉｏｎＰｒｉｏｒｉｔｙ）が取り得る範囲が０〜７の範囲であり、大きな値が高い優先度を表している場合において、最低の優先度はマイナスの値であってもよい。
【０１９３】
さらに、再選択要求信号は、現在のサービングセルの周波数の優先度（ｃｅｌｌＲｅｓｅｌｅｃｔｉｏｎＰｒｉｏｒｉｔｙ）を最低の優先度に読み替えるか否かを示す識別子を含んでもよい。例えば、ＭＢＭＳサービスを現在のサービングセルが提供している場合に、現在のサービングセルは、現在のサービングセルの周波数の優先度を最低の優先度に読み替える旨を示す識別子を含む再選択要求信号を送信する。一方で、ＭＢＭＳサービスを現在のサービングセルが提供していない場合に、現在のサービングセルは、現在のサービングセルの周波数の優先度を最低の優先度に読み替えない旨を示す識別子を含む再選択要求信号を送信する。
【０１９４】
［変更例１３］
以下において、第１実施形態の変更例１３について説明する。以下においては、変更例５に対する相違点について主として説明する。
【０１９５】
変更例５では、ＵＥ１００（受信部）は、対象セルの再選択を要求する再選択要求信号を現在のサービングセルから受信する。ＵＥ１００（コントローラ）は、再選択要求信号の受信に応じて、対象セルの再選択を行う。
【０１９６】
これに対して、変更例１３では、ＵＥ１００（コントローラ）は、再選択要求信号の受信に応じて対象セルの再選択（以下、ワンショット再選択）を行った後において、対象セルの再選択（以下、ポスト再選択）をさらに行ってもよい。ここで、ＵＥ１００は、変更例５，１２に記載したように、ワンショット再選択において、現在のサービングセル（又は、現在のサービングセルの周波数）の優先度を最低の優先度に読み替えた上で、最低の優先度よりも高い優先度を有する隣接セル（又は、周波数の隣接セル）を対象セルとして選択する。
【０１９７】
ここで、ワンショット再選択において、最低の優先度よりも高い優先度を有する隣接セル（又は、周波数の隣接セル）が２以上見つかるケースが想定される。このようなケースにおいて、ＵＥ１００は、ワンショット再選択に続けてポスト再選択を行うことによって、最適なセルを対象セルとして選択し直すことができる。
【０１９８】
ＵＥ１００は、隣接セル（又は、隣接セルの周波数）の優先度が現在のサービングセルの優先度と同じである場合にのみ、ポスト再選択を行ってもよい。すなわち、ＵＥ１００は、ワンショット再選択で対象セルとして選択されたセル（又は、セルの周波数）の優先度と同じ優先度を有する隣接セル（又は、周波数の隣接セル）が存在する場合に、ポスト再選択を行ってもよい。或いは、ＵＥ１００は、ワンショット再選択において、同じ優先度を有する２以上の隣接セルが対象セルとして見つかった場合に、ポスト再選択を行ってもよい。一方で、ＵＥ１００は、ワンショット再選択で対象セルとして選択されたセル（又は、セルの周波数）の優先度と同じ優先度を有する隣接セル（又は、周波数の隣接セル）が存在しない場合に、ポスト再選択を省略してもよい。或いは、ＵＥ１００は、ワンショット再選択において、同じ優先度を有する２以上の隣接セルが対象セルとして見つからなかった場合に、ポスト再選択を行ってもよい。ここで、ポスト選択処理は、同じ優先度を有する隣接セル（又は、隣接セルの周波数）の測定の実施によって開始してもよい。
【０１９９】
これらの表現を言い換えると、第１実施形態の（Ａ２）で説明した処理、すなわち、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回った場合に、現在のサービングセルの周波数の優先度と等しい優先度又は低い優先度を有する周波数の測定を開始するという処理は、以下のように修正される。具体的には、ＵＥ１００は、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回っており、又は、現在のサービングセルがワンショット再選択で選択されたセルである場合に、現在のサービングセルの周波数の優先度と等しい優先度又は低い優先度を有する周波数の測定を開始する。一方で、ＵＥ１００は、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を上回っており、かつ、現在のサービングセルがワンショット再選択で選択されたセルでない場合に、現在のサービングセルの周波数の優先度と等しい優先度又は低い優先度を有する周波数の測定を開始しなくてもよい。すなわち、このような場合に、ポスト再選択処理を省略してもよい。
【０２００】
なお、セル（又は、セルの周波数）の優先度は、各セルから報知される報知情報（ＳＩＢ３又はＳＩＢ５等）に含まれており、報知情報に基づいて優先度をＵＥ１００が把握してもよい。
【０２０１】
変更例１３において、ワンショット再選択後に実行されるポスト再選択は１回だけでもよい。すなわち、ワンショット再選択後において、２回以上のポスト再選択が行われなくてもよい。
【０２０２】
変更例１３において、ＵＥ１００は、ワンショット再選択の実行に応じて起動するタイマを有しており、タイマ値が閾値に達するまでの間において、ポスト再選択を行ってもよい。タイマ値と比較される閾値は、現在のサービングセルから報知される報知情報（ＳＩＢ又はページング信号）に含まれていてもよい。タイマ値と比較される閾値は、上述した再選択要求信号に含まれてもよい。なお、タイマ値が閾値に達するまでの間に実行されるポスト再選択は１回だけであってもよい。すなわち、タイマ値が閾値に達するまでの間において、２回以上のポスト再選択が行われなくてもよい。或いは、ＵＥ１００は、ポスト再選択の実行に応じて起動するタイマを有しており、タイマ値が閾値に達するまでの間において、次のポスト再選択を実行せずに、タイマ値が閾値に達した場合に、次のポスト再選択を実行してもよい。ＵＥ１００は、タイマ値が閾値に達した場合に、次のポスト再選択が実行されると、タイマのリセット又は再起動を行ってもよい。但し、ＵＥ１００は、タイマ値が閾値に達するまでの間であっても、上述した第１実施形態で説明した品質測定（例えば、（Ａ１）〜（Ａ２））及びセル再選択処理（例えば、（Ｂ１〜（Ｂ３））を実行してもよい。例えば、ＵＥ１００は、タイマ値が閾値に達するまでの間であっても、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回っている場合には、隣接セル（又は、隣接セルの周波数）の品質測定を実行するとともに、セル再選択処理を実行してもよい。
【０２０３】
変更例１３に係るワンショット再選択において、変更例５又は変更例１２と同様に、現在のサービングセルから報知される報知情報（ＳＩＢ３）に含まれる優先度（ｃｅｌｌＲｅｓｅｌｅｃｔｉｏｎＰｒｉｏｒｉｔｙ）が最低の優先度に読み替えられてもよい。このようなケースにおいて、ＵＥ１００は、ポスト再選択において、ワンショット再選択の要求を行ったセル（又はセルの周波数）の優先度（ｃｅｌｌＲｅｓｅｌｅｃｔｉｏｎＰｒｉｏｒｉｔｙ）を依然として最低の優先度として扱ってもよい。これによって、ネットワークの設定不備等が生じた場合であっても、ワンショット再選択を行う前のセルが対象セルとして選択されるピンポン現象が抑制される。
【０２０４】
［変更例１４］
以下において、第１実施形態の変更例１４について説明する。以下においては、変更例５に対する相違点について主として説明する。
【０２０５】
変更例１４において、ｅＮＢ２００（セル）は、再選択要求信号の送信によってＵＥ１００に対象セルの再選択を促す処理（以下、ＵＥ分散処理）を行う場合に、Ｘ２インターフェイスを介して、ＵＥ分散処理を行う旨を含むメッセージを隣接ｅＮＢに通知してもよい。ＵＥ分散処理を行っている旨を含むメッセージを通知するタイミングは、ＵＥ分散処理を行う前であってもよく、ＵＥ分散処理を行っている途中であってもよく、ＵＥ分散処理を行った後であってもよい。ここで、ＵＥ分散処理を行っている途中とは、再選択要求信号の繰り返し送信を行う場合において、最初の再選択要求信号を送信するタイミングから最後の再選択要求信号を送信するタイミングまでの間である。このようなケースにおいて、ＵＥ分散処理を行う前とは、最初の再選択要求信号を送信するタイミングよりも前であってもよい。ＵＥ分散処理を行った後とは、最後の再選択要求信号を送信するタイミングよりも後であってもよい。
【０２０６】
さらに、ｅＮＢ２００は、Ｘ２インターフェイスを介してＵＥ分散処理を行う旨を含むメッセージを隣接ｅＮＢに通知した後において、ＵＥ分散処理が終了した場合に、Ｘ２インターフェイスを介してＵＥ分散処理が終了した旨を含むメッセージを隣接ｅＮＢに通知してもよい。
【０２０７】
第１に、ＵＥ分散処理を行う旨が通知された隣接ｅＮＢは、ＵＥ分散処理を行う旨を通知したｅＮＢ２００（セル）が対象セルとして選択されないようにする処理（以下、再選択制限処理）を行う。
【０２０８】
例えば、ＵＥ分散処理を行う旨が通知された隣接ｅＮＢは、ＵＥ分散処理を行う旨を通知したｅＮＢ２００（セル）の優先度を自局で管理するセルの優先度よりも低く設定してもよい。隣接ｅＮＢは、新たに設定されたｅＮＢ２００（セル）の優先度を報知してもよい。
【０２０９】
或いは、ＵＥ分散処理を行う旨が通知された隣接ｅＮＢは、ＵＥ分散処理を行う旨を通知したｅＮＢ２００（セル）を対象セルとして選択すべきではないリスト（以下、ブラックリスト）に追加してもよい。隣接ｅＮＢは、ｅＮＢ２００（セル）が追加されたブラックリストを報知してもよい。
【０２１０】
第２に、ＵＥ分散処理を行う旨が通知された隣接ｅＮＢは、ＵＥ分散処理を行う旨を通知したｅＮＢ２００（セル）に対するハンドオーバを制限する処理（以下、ハンドオーバ制限処理）を行う。
【０２１１】
例えば、ＵＥ分散処理を行う旨が通知された隣接ｅＮＢは、測定対象（Ｍｅａｓｕｒｅｍｅｎｔ  Ｃｏｎｆｉｇｕｒａｔｉｏｎ）からＵＥ分散処理を行う旨を通知したｅＮＢ２００（セル）を除外してもよい。
【０２１２】
或いは、ＵＥ分散処理を行う旨が通知された隣接ｅＮＢは、ＵＥ分散処理を行う旨を通知したｅＮＢ２００（セル）に対するハンドオーバ要求の送信を制限してもよい。或いは、ＵＥ分散処理を行う旨が通知された隣接ｅＮＢは、ＵＥ分散処理を行う旨を通知したｅＮＢ２００（セル）に対するＤｕａｌ  ＣｏｎｎｅｃｔｉｖｉｔｙにおけるＳｅＮＢの追加要求の送信を制限してもよい。或いは、ＵＥ分散処理を行う旨が通知された隣接ｅＮＢは、ＵＥ分散処理を行う旨を通知したｅＮＢ２００（セル）に対して、Ｄｕａｌ  ＣｏｎｎｅｃｔｉｖｉｔｙにおけるＳｅＮＢから除外するメッセージを送信してもよい。
【０２１３】
ここで、隣接ｅＮＢは、再選択制限処理又はハンドオーバ制限処理の開始に応じて起動し、タイマ値が閾値に達した場合に、再選択制限処理又はハンドオーバ制限処理を解除してもよい。タイマ値と比較される閾値は、予め設定されていてもよく、ＵＥ分散処理を行う旨を示すメッセージに含まれていてもよく、ＯＡＭ（Ｏｐｅｒａｔｉｏｎ，Ａｄｍｉｎｉｓｔｒａｔｉｏｎ  ａｎｄ  Ｍａｎａｇｅｍａｎｅｔ）サーバから通知されてもよい。或いは、隣接ｅＮＢは、ＵＥ分散処理が終了した旨が通知された場合に、再選択制限処理又はハンドオーバ制限処理を解除してもよい。
【０２１４】
［その他の変更例］
第１実施形態では特に触れていないが、対象セルの選択に伴う隣接セルの品質測定は、所定タイミング（第１実施形態）において所定条件が満たされた場合に開始してもよい。或いは、ランダム性を有する値を用いた対象セルの選択（変更例１）は、所定条件が満たされたときに行われてもよい。例えば、所定条件は、ＵＥ１００のアクセスクラスが現在のサービングセルから通知されているアクセスクラスであることであってもよい。或いは、所定条件は、周波数の優先度ｍｏｄＡＣ＝０が満たされること、若しくは、セル−ＩＤｍｏｄＡＣ＝０が満たされることであってもよい。
【０２１５】
第１実施形態で説明したように、対象セルの選択手順全体としては、（Ａ）開始条件が満たされた場合に、現在のサービングセルに隣接する隣接セルの品質を測定する手順（測定手順）と、（Ｂ）選択条件を満たすセルの中からサービングセルとして用いる対象セルを選択する手順（選択手順）とを含む。第１実施形態は測定手順に関するものであり、変更例１〜変更例３は選択手順に関するものである。このようなケースにおいて、第１実施形態に係る測定手順と変更例１〜変更例３のいずれかに係る選択手順とを組み合わせてもよい。また、変更例１〜変更例３の中から選択された２以上の変更例に係る選択手順を組み合わせてもよい。
【０２１６】
変更例４では、現在のサービングセルが、複数のトリガー通知のいずれかである参照トリガー通知に応じて対象セルを選択する動作をＵＥ１００にトリガーさせるために、ＵＥ１００が有するカウンタ及びトリガー通知に含まれるカウンタ値を用いるケースを例示した。しかしながら、変更例４は、これに限定されるものではない。具体的には、現在のサービングセルから一定期間内において複数回に亘って報知されるトリガー通知のいずれかのトリガー通知（参照トリガー通知）に応じてＵＥ１００が対象セルを選択する動作をトリガーすればよい。従って、ＵＥ１００は、対象セルを選択する動作のトリガー（又は実行若しくは開始、以下同様）に応じてタイマを起動するとともに、タイマが満了するまでの間にトリガー通知を受信しても、対象セルを選択する動作をトリガーしないように構成されていてもよい。タイマが起動されてからタイマが満了するまでの時間は、トリガー通知が複数回に亘って報知される期間（上述した一定期間）と同程度であることが好ましい。或いは、複数のトリガー通知のそれぞれは、２以上の値を取り得るトグル情報を含んでおり、ＵＥ１００（コントローラ）は、参照トリガー通知に応じて対象セルを選択する動作をトリガーした場合に、参照トリガーに含まれるトグル情報を記憶領域に格納してもよい。このようなケースにおいて、ＵＥ１００（コントローラ）は、現在のサービングセルから報知されるトリガー通知に含まれるトグル情報が記憶領域に格納されるトグル情報と一致する場合に、対象セルを選択する動作をトリガーしない。一方で、ＵＥ１００（コントローラ）は、現在のサービングセルから報知されるトリガー通知に含まれるトグル情報が記憶領域に格納されるトグル情報と一致しない場合に、対象セルを選択する動作をトリガーする。
【０２１７】
第１実施形態では特に触れていないが、対象セルの再選択を促すパラメータ或いは対象セルの再選択を要求する再選択要求信号などのトリガー通知を送信するセル（以下、過負荷セル）については、以下のように取り扱ってもよい。具体的には、ＵＥ１００は、測定対象のセルから過負荷セルを除外してもよい。或いは、ＵＥ１００は、隣接セルが満たすべき基準（“Ｓ−ｃｒｉｔｅｒｉａ”）を過負荷セルが満たしていても、サービングセルとして用いる対象セルから過負荷セルを除外してもよい。或いは、ＵＥ１００は、ランキングを付与するセルから過負荷セルを除外してもよい。これによって、複数の隣接セルがトリガー通知を送信している状態（例えば、複数の隣接セルのいずれも負荷が高い状態）において、ＵＥ１００がこれらの隣接セルを交互に対象セルとして選択するピンポン現象が抑制される。
【０２１８】
第１実施形態では特に触れていないが、ＵＥ１００は、現在のサービングセルに在圏してから経過した時間が禁止時間閾値（例えば、１秒）を超えるという条件が満たされた場合に、対象セルの再選択を行ってもよい。このような前提下において、ＵＥ１００が、上述したトリガー通知に応じて対象セルの再選択を行う場合には、上述した開始条件（Ａ１やＡ２）に応じて対象セルの再選択を行うケースで用いる時間閾値よりも長い時間閾値を用いることが好ましい。これによって、複数の隣接セルがトリガー通知を送信している状態（例えば、複数の隣接セルのいずれも負荷が高い状態）において、ＵＥ１００が、これらの隣接セルを交互に対象セルとして選択するピンポン現象が抑制される。同様の観点から、ＵＥ１００が、上述したトリガー通知に応じて対象セルの再選択を行う場合には、上述した開始条件（Ａ１やＡ２）に応じて対象セルの再選択を行うケースで用いる所定期間（ＴｒｅｓｅｌｅｃｔｉｏｎＲＡＴ）よりも長い所定期間（ＴｒｅｓｅｌｅｃｔｉｏｎＲＡＴ）を用いることが好ましい。
【０２１９】
第１実施形態及び変更例において、優先度（ｃｅｌｌＲｅｓｅｌｅｃｔｉｏｎＰｒｉｏｒｉｔｙ）は、セルの周波数に割り当てられた優先度と考えてもよく、セルに割り当てられた優先度と考えてもよい。例えば、優先度（ｃｅｌｌＲｅｓｅｌｅｃｔｉｏｎＰｒｉｏｒｉｔｙ）は、ｉｎｔｅｒ−ｆｒｅｑｕｅｎｃｙの優先度であってもよく、ｉｎｔｅｒ−ＲＡＴ  ｆｒｅｑｕｅｎｃｙ  ｃｅｌｌの優先度であってもよい。尚、セルに割り当てられた優先度（Ｃｅｌｌ  ｓｐｅｃｉｆｉｃ  ｐｒｉｏｒｉｔｙ）に基づいた処理の内容について、次に説明する。
【０２２０】
［Ｃｅｌｌ  Ｓｐｅｃｉｆｉｃ  Ｐｒｉｏｒｉｔｉｚａｔｉｏｎ  （ＣＳＰ）］
移動通信システムでは、所定の処理において、セル毎に割り当てられた優先度（Ｃｅｌｌ  ｓｐｅｃｉｆｉｃ  ｐｒｉｏｒｉｔｙ）（以下、「ＣＳＰ」と称する）が使用される。ＣＳＰは、例えば、アイドル状態のＵＥ１００がセルを再選択するときに使用される。ＣＳＰは、セル再選択、及び／又はセル再選択に係る無線信号の測定（以下、「セル再選択処理」と称する。）のためのセルの優先度を定義する。ＣＳＰは、ｅＮＢ２００（セル）の運用状態を示すパラメータ（セルにおける負荷状態等）や、セルの種類等に基づいて定義されてよい。
【０２２１】
［Ｐａｇｉｎｇ−ｔｒｉｇｇｅｒｅｄ  ｃｅｌｌ  ｓｐｅｃｉｆｉｃ  ｐｒｉｏｒｉｔｉｚａｔｉｏｎ］
ＣＳＰを適用する移動通信システムでは、以下の各実施形態に示された処理が実行されてもよい。
【０２２２】
［第２実施形態］
図１０は、第２実施形態の処理フローを示す図である。図１０において、ＵＥ１００は、アイドル状態でｅＮＢ２００が管理するセル（サービングセル）にキャンプオンしている（ステップＳ４０）。ｅＮＢ２００（あるいはネットワーク側のエンティティ）は、所定の条件・タイミングで、ｅＮＢ２００において適用すべき複数セル分のＣＳＰを設定する（ステップＳ４１）。複数セル分のＣＳＰには、ｅＮＢ２００が管理するセルのＣＳＰ及び／又は隣接セルのＣＳＰを含む。複数セル分のＣＳＰは優先度順にランキングされて管理されてもよい。ｅＮＢ２００は、設定された複数セル分のＣＳＰ（複数のＣＳＰ）に関する情報（複数セル分のＣＳＰを示す情報）を、ＳＩＢ（Ｓｙｓｔｅｍ  Ｉｎｆｏｒｍａｔｉｏｎ  Ｂｌｏｃｋ）（以下、「システム情報」と称する。）に含めて報知する（ステップＳ４２）。ＵＥ１００は、前記システム情報を受信する（ステップＳ４２）。
【０２２３】
ステップＳ４２の後、ＵＥ１００は、システム情報に含まれた複数セル分のＣＳＰを自己のメモリ１５０に記憶（保持）する（ステップＳ４３）。
【０２２４】
ｅＮＢ２００は、所定の条件・タイミング（トリガー）で、ページングメッセージを送る（ステップＳ４４）。ＵＥ１００は、前記ページングメッセージを受信する（ステップＳ４４）。前記ページングメッセージは、Ｌｏａｄ  ｒｅ−ｄｉｓｔｒｉｂｕｔｉｏｎのトリガーと、ＣＳＰ適用／不適用指示の少なくとも一方を含む。第２実施形態では、両方を含むものとする。
【０２２５】
「Ｌｏａｄ  ｒｅ−ｄｉｓｔｒｉｂｕｔｉｏｎのトリガー」とは、ｅＮＢ２００が、ＵＥ１００に対してセル再選択処理を実行するように指示することである。
【０２２６】
「ＣＳＰ適用／不適用指示」のうち、「ＣＳＰ適用指示」とは、ｅＮＢ２００が、ＵＥ１００にＣＳＰを適用するよう指示することである。ＵＥ１００は、ページングメッセージにおいて「ＣＳＰ適用指示」が含まれていたことを認識（理解）すると、ｅＮＢ２００から事前にＳＩＢ等によって提供されていた周波数の優先度（ｃｅｌｌＲｅｓｅｌｅｃｔｉｏｎＰｒｉｏｒｉｔｙ）を使用せずに、ステップＳ４３でメモリ１５０に記憶していたＣＳＰに基づいてセル再選択処理を実行する。
【０２２７】
尚、ＵＥ１００は、ページングメッセージにおいて「ＣＳＰ適用指示」が含まれていたことを認識した場合には、以後に行われるセル再選択処理において、１度だけＣＳＰを適用してセル再選択処理を実行してもよい。
【０２２８】
「ＣＳＰ適用／不適用指示」のうち、「ＣＳＰ不適用指示」とは、ｅＮＢ２００が、ＵＥ１００にＣＳＰを適用しないよう指示することである。ＵＥ１００は、ページングメッセージにおいて「ＣＳＰ不適用指示」が含まれていたことを認識（理解）すると、ｅＮＢ２００から事前にＳＩＢ等によって提供されていた周波数の優先度（ｃｅｌｌＲｅｓｅｌｅｃｔｉｏｎＰｒｉｏｒｉｔｙ）に基づいてセル再選択処理を実行する。
【０２２９】
尚、「ＣＳＰ適用／不適用指示」における「指示」は、「命令」あるいは「要求」であってもよい。
【０２３０】
ステップＳ４４の後、ＵＥ１００は、ｅＮＢ２００から受信したページングメッセージに含まれたＬｏａｄ  ｒｅ−ｄｉｓｔｒｉｂｕｔｉｏｎのトリガーと、ＣＳＰ適用／不適用指示を認識（理解）する（ステップＳ４５）。ＵＥ１００は、認識した内容に従って、セル再選択処理を実行する（ステップＳ４６）。
【０２３１】
ステップＳ４６において、ＵＥ１００は、所定タイミングにおいて、現在のサービングセルからの信号と隣接セルからの信号とを検出し、検出結果に基づいて、セル再選択処理を実行する。
【０２３２】
ＵＥ１００は、或るタイミングにおいてセル再選択処理を行った後であっても、メモリ１５０に保持（記憶）していた複数セル分のＣＳＰに関する情報を保持する（保持を継続する）。ＵＥ１００は、保持している複数セル分のＣＳＰに関する情報に基づいて、次のタイミングにおけるセル再選択処理を実行する。
【０２３３】
ＵＥ１００は、セル再選択処理後、再選択したセルを管理するｅＮＢ２００から、複数セル分のＣＳＰに関する新たな情報を含んだシステム情報を受信できた場合、その新たな情報をメモリ１５０に記憶（保持）する。ＵＥ１００は、その新たな情報に基づいて、次のタイミングにおけるセル再選択処理を実行する。つまり、ＵＥ１００は、セル再選択処理後、再選択したセルを管理するｅＮＢ２００から、複数セル分のＣＳＰに関する新たな情報を含んだシステム情報を受信するまで、メモリ１５０に保持（記憶）していた複数セル分のＣＳＰに関する情報に基づいて、次のタイミングにおけるセル再選択処理を実行する。
【０２３４】
このため、ＵＥ１００が、セル再選択処理により、新たなセルにキャンプオンした場合であっても、新たなセルを管理するｅＮＢ２００が設定していた複数セル分のＣＳＰと、ＵＥ１００が保持していた複数セル分のＣＳＰとが一致しないことにより想定され得る問題点（ＵＥ１００におけるセル再選択処理のＰｉｎｇ−Ｐｏｎｇ現象）を回避することができる。
【０２３５】
尚、ＵＥ１００は、再選択したセルを管理するｅＮＢ２００から、複数セル分のＣＳＰに関する新たな情報を、先に保持（記憶）していた情報（複数セル分のＣＳＰに関する情報）に上書きする。ＵＥ１００は、複数セル分のＣＳＰに関する新たな情報をメモリ１５０に記憶（保持）した後、所定期間後に、先に保持（記憶）していた情報（複数セル分のＣＳＰに関する情報）を消去してもよい。
【０２３６】
［第３実施形態］
図１１は、第３実施形態の処理フローを示す図である。第３実施形態は、第１のｅＮＢ（ｅＮＢ２００−１）と第２のｅＮＢ（ｅＮＢ２００−２）との間で実行される処理の内容を示す。第３実施形態の説明において、適宜、第２実施形態の説明で使用した定義等を援用する。
【０２３７】
図１１では、ｅＮＢ２００−１とｅＮＢ２００−２は、所定のタイミングにおいて、Ｒｅｓｏｕｒｃｅ  Ｓｔａｔｕｓ  Ｒｅｐｏｒｔｉｎｇプロシージャを実行する（ステップＳ５０）。ｅＮＢ２００−１とｅＮＢ２００−２は、該プロシージャによって、お互いの負荷（Ｌｏａｄ）を認識（理解）する。ここで、「負荷」とは、ｅＮＢ２００−１（ｅＮＢ２００−２）における混雑具合（ｅＮＢ２００とコネクテッド状態であるＵＥ数等）を示すものとする。
【０２３８】
次に、ｅＮＢ２００−１が、ｅＮＢ２００−２よりも負荷を示す値が大きい関係であるものとする。ｅＮＢ２００−１は、例えば、（Ｂ１）ｅＮＢ２００−１の負荷を示す値（Ｌｏａｄ［１］）が第１の所定値（Ｔｈ１）よりも大きく、（Ｂ２）ｅＮＢ２００−１の負荷を示す値がｅＮＢ２００−２の負荷を示す値（Ｌｏａｄ［２］）よりも大きく、更には、（Ｂ３）ｅＮＢ２００−２の負荷を示す値が第２の所定値（Ｔｈ２）よりも小さい場合には（ステップＳ５１）、ステップＳ４１（図１０参照）において設定していたＣＳＰを再設定（変更／更新）する（ステップＳ５２）。具体的には、ｅＮＢ２００−１は、ｅＮＢ２００−１に関するＣＳＰとｅＮＢ２００−２に関するＣＳＰとが等しい優先度になるように再設定する。尚、この場合、優先度の高さ（ランク）がどれぐらいの高さであるかは問わない。
【０２３９】
尚、ｅＮＢ２００−１は、ステップＳ５２においてＣＳＰを再設定する場合には、ｅＮＢ２００−１のセルに関するＣＳＰを、ｅＮＢ２００−２のセルに関するＣＳＰよりも、低い優先度になるように再設定してもよい。
【０２４０】
ちなみに、上記に示したステップＳ５２に示す処理と同じ内容の処理が、ｅＮＢ２００−２において実行されてもよい。
【０２４１】
ステップＳ５２の後、第２実施形態におけるステップＳ４２〜ステップＳ４６の処理が実行される。
【０２４２】
［第４実施形態］
図１２は、第４実施形態の処理フローを示す図である。第４実施形態では、第２実施形態におけるステップＳ４０からステップＳ４３までの処理と同じ処理が実行される。第４実施形態は、第２実施形態に対してステップＳ４３の後の処理の内容が異なる。
【０２４３】
図１２において、ｅＮＢ２００は、ステップＳ４３の後、所定の条件・タイミングで、ページングメッセージを送る（ステップＳ４４Ａ）。ＵＥ１００は、前記ページングメッセージを受信する（ステップＳ４４Ａ）。前記ページングメッセージは、Ｌｏａｄ  ｒｅ−ｄｉｓｔｒｉｂｕｔｉｏｎのトリガーを含む。第４実施形態では、ページングメッセージにおいてＣＳＰ適用／不適用指示は含まれない。
【０２４４】
ＵＥ１００は、ｅＮＢ２００から受信したページングメッセージに含まれたＬｏａｄ  ｒｅ−ｄｉｓｔｒｉｂｕｔｉｏｎのトリガーを認識（理解）する（ステップＳ４５Ａ）。ＵＥ１００は、認識した内容に従って、セル再選択処理を実行する（ステップＳ４６Ａ）。ここで、ＵＥ１００は、ステップＳ４６Ａにおいて、メモリ１５０に記憶していた複数セル分のＣＳＰを適用せず（ＣＳＰの使用を停止して）、ｅＮＢ２００から事前にＳＩＢ等によって提供されていた周波数の優先度（ｃｅｌｌＲｅｓｅｌｅｃｔｉｏｎＰｒｉｏｒｉｔｙ）に基づいてセル再選択処理を実行する。ステップＳ４６Ａにおいて、ＵＥ１００は、所定タイミングにおいて、現在のサービングセルの品質と隣接セルの品質とを測定し、測定結果に基づいて、セル再選択処理を実行する。
【０２４５】
［第５実施形態］
図１３は、第５実施形態の処理フローを示す図である。第５実施形態は、ｅＮＢ２００（あるいは、ネットワーク側のエンティティ）が、ＵＥ１００の位置に応じて、セル再選択処理において適用（使用）される優先度（の種類）を設定する処理を示す。
【０２４６】
ｅＮＢ２００（あるいは、ネットワーク側のエンティティ）は、事前に、ｅＮＢ２００が管理するセル（サービングセル）内における所定のエリア（場所／位置）を設定しているものとする。「所定のエリア」とは、ＵＥ１００が、ＣＳＰに基づいたセル再選択処理を実行すべきエリアである。「所定のエリア」は、一か所以上であればよい。「所定のエリア」は、ｅＮＢ２００のセルの運用環境（例えば、セル内に存在するスモールセルの位置等）を考慮して設定され得る。また、「所定のエリア」は、ｅＮＢ２００のセルの運用環境の変化（例えば、セル内におけるスモールセルの増減等）に応じて、変更されてもよい。
【０２４７】
ＵＥ１００がアイドル状態で、ｅＮＢ２００のセルにキャンプオンしているとき（ステップＳ６０）、ｅＮＢ２００は、システム情報を送る（報知する）（ステップＳ６１）。システム情報は、前記「所定のエリア」を示す情報（ＣＳＰ‐セル再選択エリア情報）と複数セル分のＣＳＰを示す情報とを含む。この場合、所定のエリアを示す情報（ＣＳＰ‐セル再選択エリア情報）は、緯度・経度情報に基づく。ＵＥ１００は前記「所定のエリア」を示す情報を含んだシステム情報を受信する（ステップＳ６１）。
【０２４８】
ＵＥ１００は、受信したシステム情報に含まれていた「所定のエリア」を示す情報と複数セル分のＣＳＰとをメモリ１５０に記憶（保持）する（ステップＳ６２）。これにより、ＵＥ１００は、「所定のエリア」を示す情報によって、ＵＥ１００がＣＳＰに基づいてセル再選択処理を実行すべきエリアを認識（理解）できる。
【０２４９】
ステップＳ６２の後、ＵＥ１００は、所定の機会に取得したＵＥ１００の位置情報に基づいて、ＵＥ１００の位置が、メモリ１５０に記憶していた「所定のエリア」に位置するか否かを判断する（ステップＳ６３）。尚、ＵＥ１００は、ＧＰＳ（Ｇｌｏｂａｌ  Ｐｏｓｉｔｉｏｎｉｎｇ  Ｓｙｓｔｅｍ）機能を備えているならば、ＧＳＰ機能によってＵＥ１００の位置を取得する。ＵＥ１００は、ＧＰＳ機能を備えていない場合であっても、ＷＬＡＮ（Ｗｉｒｅｌｅｓｓ  Ｌｏｃａｌ  Ａｒｅａ  Ｎｅｔｗｏｒｋ）からの信号や、Ｂｌｕｅｔｏｏｔｈ（登録商標）システムからの信号等によって、ＵＥ１００の位置情報を取得してもよい。
【０２５０】
ステップＳ６３において、ＵＥ１００は、ＵＥ１００の位置が「所定のエリア」に位置したことを検出（検知）したならば（ステップＳ６３の「ＹＥＳ」）、セル再選択処理において使用すべき優先度として、事前にｅＮＢ２００から提供され、メモリ１５０に記憶していた複数セル分のＣＳＰに関する情報（複数セル分のＣＳＰ）を設定（選択）する（ステップＳ６４Ａ）。尚、ステップＳ６４Ａにおいて、ＵＥ１００は、セル再選択処理において使用すべき優先度として、ｅＮＢ２００から事前にＳＩＢ等によって提供されていた周波数の優先度（ｃｅｌｌＲｅｓｅｌｅｃｔｉｏｎＰｒｉｏｒｉｔｙ）を設定（使用）しない。
【０２５１】
ステップＳ６３において、ＵＥ１００は、ＵＥ１００の位置が「所定のエリア」に位置したことを検知しないならば（ステップＳ６３の「ＮＯ」）、セル再選択処理において使用すべき優先度として、ｅＮＢ２００から事前にＳＩＢ等によって提供されていた周波数の優先度（ｃｅｌｌＲｅｓｅｌｅｃｔｉｏｎＰｒｉｏｒｉｔｙ）を設定（選択）する（ステップ６４Ｂ）。尚、ステップ６４Ｂにおいて、ＵＥ１００は、セル再選択処理において使用すべき優先度として、仮に、メモリ１５０に複数セル分のＣＳＰに関する情報（複数セル分のＣＳＰ）を記憶（保持）していたとしても、複数セル分のＣＳＰを設定（使用）しない。
【０２５２】
ステップＳ６４ＡあるいはステップＳ６４Ｂの後、ＵＥ１００は、ステップＳ６４Ａあるいはステップ６４Ｂで設定された優先度を使用して、所定のタイミングでセル再選択処理を実行する（ステップＳ６５）。尚、第５実施形態において、ステップＳ６４ＡあるいはステップＳ６４Ｂの後、ステップＳ６５までの間に、例えば、第２実施形態で示したステップＳ４４及びステップＳ４５が実行される。
【０２５３】
［第６実施形態］
図１４は、第６実施形態の処理フローを示す図である。第６実施形態は、マクロセルを管理するｅＮＢ２００（ｅＮＢ２００‐Ｍ）が、該マクロセル内に配置されたスモールセルを管理するｅＮＢ２００（ｅＮＢ２００‐Ｓ）からの所定の通知に基づいて、該マクロセルにキャンプオンしているＵＥ１００のためにＣＳＰを設定する処理を含む。
【０２５４】
図１４において、ＵＥ１００は、アイドル状態において、マクロセルを管理するｅＮＢ２００‐Ｍにキャンプオンしている（ステップＳ７０）。その後、ｅＮＢ２００‐ＭとＵＥ１００とにおいて、図１０に示したステップＳ４１からステップＳ４３が実行されているものとする。
【０２５５】
次に、ＵＥ１００は、アイドル状態において、ｅＮＢ２００−Ｍのために、所定の機会に、例えば、Ｔｒａｃｋｉｎｇ  Ａｒｅａ  Ｕｐｄａｔｅ（ＴＡＵ）と、ＵＥ１００の識別情報であるＵＥ−ＩＤとを含んだ特定信号を送る（ステップＳ７１）。尚、特定信号は、ＵＥ１００からの信号であることが特定できるその他の信号であってもよい。「所定の機会」は「定期的」あってもよい。また、「所定の機会」は、「ｅＮＢ２００−Ｍからの要求があったとき」であってもよい。
【０２５６】
ステップＳ７１の後、スモールセルを管理するｅＮＢ２００‐Ｓは、ＵＥ１００からの前記特定信号を検出する（ステップＳ７２）。ステップＳ７２は、ｅＮＢ２００−ＭのマクロセルにキャンプオンしているＵＥ１００が、スモールセルの近くに移動（位置）したときに実行される。
【０２５７】
ｅＮＢ２００‐Ｓは、ＵＥ１００からの前記特定信号を検出した場合には（ステップＳ７２）、ｅＮＢ２００‐Ｍに対して、所定のタイミングで、ＵＥ１００を検出したことを示すＵＥ検出情報を送る（ステップＳ７３）。ＵＥ検出情報は、ｅＮＢ２００‐ＳとｅＮＢ２００‐Ｍとの間に設定されたＸ２インターフェイスを介して運ばれる。尚、ＵＥ検出情報は、ｅＮＢ２００‐ＳからＳ１インターフェイスを介してＭＭＥ３００に運ばれ、ＭＭＥ３００からＳ１インターフェイスを介してｅＮＢ２００‐Ｍに運ばれてもよい。ＵＥ検出情報は、前記特定信号によって運ばれたＵＥ−ＩＤを含んでもよい。
【０２５８】
ｅＮＢ２００‐Ｍは、ｅＮＢ２００‐Ｓからの前記ＵＥ検出信号を受信すると（ステップＳ７３）、ｅＮＢ２００‐Ｍにおいて適用すべき複数セル分のＣＳＰを再設定する（ステップＳ７４）。ＣＳＰの設定は、ｅＮＢ２００‐Ｍの上位に設けられたネットワーク側のエンティティで実行されてもよい。複数セル分のＣＳＰには、ｅＮＢ２００‐Ｍが管理するマクロセルのＣＳＰと隣接セルのＣＳＰとを含む。隣接セルは、ｅＮＢ２００‐Ｓが管理するスモールセルを含む。複数セル分のＣＳＰは優先度順にランキングされて管理されてもよい。この場合、ｅＮＢ２００‐Ｍ（あるいはネットワーク側のエンティティ）は、例えば、ｅＮＢ２００‐Ｓが管理するスモールセルの優先度を、その他の隣接セルの優先度よりも相対的に低くなるようにランキングする。
【０２５９】
ｅＮＢ２００‐Ｍは、再設定された複数セル分のＣＳＰ（複数のＣＳＰ）に関する情報（複数セル分のＣＳＰを示す情報）を、システム情報に含めて報知する（ステップＳ７５）。ＵＥ１００は、前記システム情報を受信する（ステップＳ７５）。
【０２６０】
ステップＳ７５の後、ＵＥ１００は、システム情報に含まれた複数セル分のＣＳＰを自己のメモリ１５０に記憶（保持）する（ステップＳ７６）。
【０２６１】
ステップＳ７６の後、ｅＮＢ２００は、所定の条件・タイミング（トリガー）で、ページングメッセージを送る（ステップＳ７７）。ＵＥ１００は、前記ページングメッセージを受信する（ステップＳ７７）。前記ページングメッセージは、Ｌｏａｄ  ｒｅ−ｄｉｓｔｒｉｂｕｔｉｏｎのトリガーと、ＣＳＰ適用／不適用指示の少なくとも一方を含む。第６実施形態では、両方を含むものとする。
【０２６２】
ステップＳ７７の後、ＵＥ１００は、ｅＮＢ２００から受信したページングメッセージに含まれたＬｏａｄ  ｒｅ−ｄｉｓｔｒｉｂｕｔｉｏｎのトリガーと、ＣＳＰ適用／不適用指示を認識（理解）する（ステップＳ７８）。ＵＥ１００は、認識した内容に従って、セル再選択処理を実行する（ステップＳ７９）。
【０２６３】
第６実施形態において、少なくともステップＳ７１〜ステップＳ７３が実行されない場合には、ＵＥ１００は、ｅＮＢ２００から事前にシステム情報等によって提供されていた周波数の優先度（ｃｅｌｌＲｅｓｅｌｅｃｔｉｏｎＰｒｉｏｒｉｔｙ）に基づいてセル再選択処理を実行してもよい。
【０２６４】
尚、第６実施形態では、マクロセルを管理するｅＮＢ２００‐Ｍとスモールセルを管理するｅＮＢ２００‐Ｓとが構成された例について説明したが、セルの大小関係（種類）は問わない。
【０２６５】
第６実施形態では、第５実施形態に対して、ＵＥ１００の位置情報が使用されない。第６実施形態では、ネットワーク側の装置（ｅＮＢ２００‐ＭとｅＮＢ２００‐Ｓとを含む）における処理によって、ｅＮＢ２００‐Ｍ（あるいはネットワーク側のエンティティ）が、ＵＥ１００のための複数セル分のＣＳＰが設定することができる。
【０２６６】
［第７実施形態］
図１５は、第７実施形態の処理フローを示す図である。
【０２６７】
図１５において、ｅＮＢ２００は、第２実施形態と同様、ＵＥ１００は、アイドル状態でｅＮＢ２００が管理するセル（サービングセル）にキャンプオンしている（ステップＳ４０）。
【０２６８】
ｅＮＢ２００（あるいはネットワーク側のエンティティ）は、所定の条件・タイミングで、ｅＮＢ２００において適用すべき複数セル分のＣＳＰを設定する（ステップＳ４１Ｂ）。ステップＳ４１Ａにおいて設定されるＣＳＰは、所定の識別子を含む。「所定の識別子」は、当該識別子を含むＣＳＰが、ページングによるセル再選択処理においてのみ適用されるＣＳＰであるか否かを示す。
【０２６９】
ステップＳ４１Ｂの後、ｅＮＢ２００は、前記「所定の識別子」を含んだ複数セル分のＣＳＰを構成したシステム情報を報知する（ステップＳ４２Ｂ）。ＵＥ１００は、前記システム情報を受信する（ステップＳ４２Ｂ）。
【０２７０】
ステップＳ４２の後、ＵＥ１００は、システム情報に含まれた複数セル分のＣＳＰ（ＣＳＰは、「所定の識別子」を含む）をメモリ１５０に記憶（保持）する（ステップＳ４３Ｂ）。
【０２７１】
ステップＳ４３Ｂの後、ｅＮＢ２００は、所定の条件・タイミングで、ページングメッセージを送る（ステップＳ４４Ｂ）。ＵＥ１００は、前記ページングメッセージを受信する（ステップＳ４４Ｂ）。前記ページングメッセージは、Ｌｏａｄ  ｒｅ−ｄｉｓｔｒｉｂｕｔｉｏｎのトリガーを含む。第７実施形態では、ページングメッセージにおいてＣＳＰ適用／不適用指示は含まれない。
【０２７２】
ＵＥ１００は、ｅＮＢ２００から受信したページングメッセージに含まれたＬｏａｄ  ｒｅ−ｄｉｓｔｒｉｂｕｔｉｏｎのトリガーを認識（理解）する（ステップＳ４５Ｂ）。ＵＥ１００は、認識した内容に従って、セル再選択処理を実行する（ステップＳ４６Ｂ）。ステップＳ４６Ｂにおいて、ＵＥ１００は、メモリ１５０に記憶していた複数セル分のＣＳＰに含まれた「所定の識別子」が、ページングによるセル再選択処理においてのみ適用されるＣＳＧであることを示す場合には、当該「所定の識別子」を含むＣＳＰを使用してセル再選択処理を実行する。ＵＥ１００は、ｅＮＢ２００から事前にシステム情報等によって提供されていた周波数の優先度（ｃｅｌｌＲｅｓｅｌｅｃｔｉｏｎＰｒｉｏｒｉｔｙ）を使用しない。
【０２７３】
［第８実施形態］
図１６は、第８実施形態の処理フローを示す図である。第８実施形態の説明にあたり、例えば、第２実施形態等で説明された内容を適宜援用する。図１６において、ＵＥ１００は、アイドル状態でｅＮＢ２００が管理するセル（サービングセル）にキャンプオンしている（ステップＳ８０）。ｅＮＢ２００（ネットワーク側のエンティティ）は、所定の条件・タイミングで、ｅＮＢ２００において適用すべき複数セル分のＣＳＰを設定する（ステップＳ８１）。
【０２７４】
ステップＳ８１において、ｅＮＢ２００（ネットワーク側のエンティティ）は、第１のＣＳＰ（ＣＳＰ１）と第２のＣＳＰ（ＣＳＰ２）とを設定する。第１のＣＳＰは、ＵＥ１００が、ｅＮＢ２００からのページングメッセージの受信を契機とせずにセル再選択処理を実行するときに使用する優先度である。第１のＣＳＰは、複数セル分のＣＳＰを含む。複数セル分のＣＳＰには、ｅＮＢ２００が管理するセルのＣＳＰと隣接セルのＣＳＰとを含む。複数セル分のＣＳＰは優先度順にランキングされて管理されてもよい。
【０２７５】
第１のＣＳＰは、周波数の優先度（ｃｅｌｌＲｅｓｅｌｅｃｔｉｏｎＰｒｉｏｒｉｔｙ）と同様に適用される。ＵＥ１００は、ｅＮＢ２００からのページングメッセージを受信しない場合、所定の条件・タイミングにおいて、第１のＣＳＰに基づくセル再選択処理を実行する。この場合、ＵＥ１００は、例えば、第１のＣＳＰを連続的に適用する。尚、ＵＥ１００は、ｅＮＢ２００からのページングメッセージを受信しない場合、所定の条件・タイミングにおいて、第１のＣＳＰではなく、別の基準（条件）により、周波数の優先度（ｃｅｌｌＲｅｓｅｌｅｃｔｉｏｎＰｒｉｏｒｉｔｙ）に基づくセル再選択処理を実行してもよい。
【０２７６】
第２のＣＳＰは、ＵＥ１００が、ｅＮＢ２００からのページングメッセージを受信した場合においてセル再選択処理を実行するときに使用する優先度である。第２のＣＳＰは、複数セル分のＣＳＰを含む。複数セル分のＣＳＰには、ｅＮＢ２００が管理するセルのＣＳＰ及び／又は隣接セルのＣＳＰを含む。複数セル分のＣＳＰは優先度順にランキングされて管理されてもよい。
【０２７７】
第１のＣＳＰと第２のＣＳＰは、複数セル分の優先度の内容（例えばランキングの内容）が異なる。例えば、第２のＣＳＰは、第１のＣＳＰに対して、ページングメッセージを送信するｅＮＢ２００のセル（サービングセル）の優先度が低くなるように設定される。また、第２のＣＳＰは、第１のＣＳＰに対して、ページングメッセージを送信するｅＮＢ２００のセル（サービングセル）の優先度が高くなるように設定されてもよい。また、第１のＣＳＰと第２のＣＳＰは、当該複数セル間の優先度が異なるように設定されてもよい。
【０２７８】
ｅＮＢ２００は、設定された複数セル分のＣＳＰ（複数のＣＳＰ）に関する情報（複数セル分のＣＳＰを示す情報）を、システム情報に含めて報知する（ステップＳ８２）。ステップＳ８２において、ｅＮＢ２００は、前記第１のＣＳＰおよび第２のＣＳＰの少なくとも何れか一方をシステム情報に含めて報知する。図１６では、システム情報は、第１のＣＳＰおよび第２のＣＳＰの両方を含むものとする。ＵＥ１００は、前記システム情報を受信する（ステップＳ８２）。尚、第１のＣＳＰと第２のＣＳＰは、それぞれ異なる識別子（例えば、「連続適用用途を示す識別子」か「一時的適用用途を示す識別子」等）と対応付けられていてもよい。
【０２７９】
ステップＳ８２の後、ＵＥ１００は、ＳＩＢに含まれた複数セル分のＣＳＰ（第１のＣＳＰと第２のＣＳＰ）を自己のメモリ１５０に記憶（保持）する（ステップＳ８３）。
【０２８０】
ｅＮＢ２００は、所定の条件・タイミング（トリガー）で、ページングメッセージを送る（ステップＳ８４）。ＵＥ１００は、前記ページングメッセージを受信する（ステップＳ８４）。前記ページングメッセージは、Ｌｏａｄ  ｒｅ−ｄｉｓｔｒｉｂｕｔｉｏｎのトリガーと、ＣＳＰ適用／不適用指示の少なくとも一方を含む。図１６では、ページングメッセージが、「Ｌｏａｄ  ｒｅ−ｄｉｓｔｒｉｂｕｔｉｏｎのトリガー」を含み、「ＣＳＰ適用／不適用指示」を含まない場合を示す。
【０２８１】
ステップＳ８４の後、ＵＥ１００は、ｅＮＢ２００から受信したページングメッセージに含まれたＬｏａｄ  ｒｅ−ｄｉｓｔｒｉｂｕｔｉｏｎのトリガーを認識（理解）する（ステップＳ８５）。ＵＥ１００は、認識した内容に従って、第２のＣＳＰを使用してセル再選択処理を実行する（ステップＳ８６）。
【０２８２】
尚、第８実施形態において、ｅＮＢ２００（ネットワーク側のエンティティ）は、第１のＣＳＰと第２のＣＳＰの両方を設定して、設定した第１および第２のＣＳＰをシステム情報に含めて報知したが、所定のタイミング毎に、何れか一方のＣＳＰのみを設定してシステム情報に含めて報知してもよい。この場合、例えば、次に示す「ステップＡ」と「ステップＢ」の処理が実行される。［ステップＡ−１］：第１のタイミングにおいて、ｅＮＢ２００は、「第１のＣＳＰ」を構成し、「第２のＣＳＰ」と「Ｌｏａｄ  ｒｅ−ｄｉｓｔｒｉｂｕｔｉｏｎのトリガー」を構成しない第１のシステム情報を報知する。［ステップＡ−２］：ＵＥ１００が、この第１のシステム情報を受信してメモリ１５０に記憶する。［ステップＢ−１］：前記第１のタイミングよりも後の伊タイミングである第２のタイミングにおいて、ｅＮＢ２００は、「第２のＣＳＰ」と「Ｌｏａｄ  ｒｅ−ｄｉｓｔｒｉｂｕｔｉｏｎのトリガー」を構成し、「第１のＣＳＰ」を構成しない第２のシステム情報を報知する。［ステップＢ−２］：ＵＥ１００が第２のシステム情報を受信する。ＵＥ１００は、「ステップＡ−２」においてメモリ１５０に記憶していた「第１のＣＳＰ」の情報要素に、「第２のＣＳＰ」の情報要素を一次的に上書きするようにメモリ１５０に記憶してもよい。「ステップＡ」の後、「ステップＢ」が実行されない場合、ＵＥ１００は、「第１のＣＳＰ」を使用して（「第１のＣＳＰ」の使用を継続して）セル再選択処理を実行してもよい。
【０２８３】
［第９実施形態］
図１７は、第９実施形態の処理フローを示す図である。第９実施形態は、第８実施形態に対して、主にステップＳ８４及びステップＳ８５の内容が異なる。第９実施形態は、第８実施形態に対して、ステップＳ８０〜Ｓ８３、及びステップＳ８６の内容は概ね同じである。
【０２８４】
まず、ステップＳ８２においてｅＮＢ２００から報知されるシステム情報に含まれる第１のＣＳＰと第２のＣＳＰは、事前に、ＣＳＰの種類を識別するためのインデックス情報（ＣＳＰインデックス情報）と対応づけられている。ＣＳＰインデックス情報の使用方法については後述する。
【０２８５】
ステップＳ８３の後、ｅＮＢ２００は、所定の条件・タイミング（トリガー）で、ページングメッセージを送る（ステップＳ８４Ａ）。ＵＥ１００は、前記ページングメッセージを受信する（ステップＳ８４Ａ）。前記ページングメッセージは、Ｌｏａｄ  ｒｅ−ｄｉｓｔｒｉｂｕｔｉｏｎのトリガーと、ＣＳＰ適用／不適用指示の少なくとも一方を含む。図１７では、ページングメッセージが、「Ｌｏａｄ  ｒｅ−ｄｉｓｔｒｉｂｕｔｉｏｎのトリガー」を含み、「ＣＳＰ適用／不適用指示」を含まない場合を示す。
【０２８６】
また、前記ページングメッセージには、前記ＣＳＰインデックス情報が含まれる。ＣＳＰインデックス情報は、ＵＥ１００がセル再選択処理において使用すべきＣＳＰが第１のＣＳＰであるのか第２のＣＳＰであるのかを示す。ＣＳＰインデックス情報は、１ビット情報で示される簡易的な情報ある。ＣＳＰインデックス情報が「０」で或る場合には、「第１のＣＳＰ」であることを意味し、ＣＳＰインデックス情報が「１」で或る場合には、「第２のＣＳＰ」であることを意味する。尚、ＣＳＰインデックス情報が「０」で或る場合には、「第２のＣＳＰ」であることを意味し、ＣＳＰインデックス情報が「１」で或る場合には、「第１のＣＳＰ」であることを意味してもよい。尚、ＣＳＰインデックス情報は、２ビット以上の情報であってもよい。この場合、２ビット以上の情報で構成されるＣＳＰインデックス情報によって、第３のＣＳＰ（又はそれ以上のＣＳＰ）について通知されてもよい。
【０２８７】
ステップ８４Ａにおいて、ＵＥ１００は、ｅＮＢ２００からページングメッセージを受信する。
【０２８８】
ステップ８４Ａの後、ＵＥ１００は、ｅＮＢ２００から受信したページングメッセージに含まれた「Ｌｏａｄ  ｒｅ−ｄｉｓｔｒｉｂｕｔｉｏｎのトリガー」と、「ＣＳＰインデックス情報」とを認識（理解）する（ステップＳ８５Ａ）。尚、ＵＥ１００は、事前に、「ＣＳＰインデックス情報」がどのＣＳＰを示すのか認識しているものとする。これにより、ＵＥ１００は、「Ｌｏａｄ  ｒｅ−ｄｉｓｔｒｉｂｕｔｉｏｎのトリガー」によって、セル再選択処理を実行しなければならないことを認識し、且つ、「ＣＳＰインデックス情報」によって、セル再選択処理において使用するＣＳＰとして、「第１のＣＳＰ」か「第２のＣＳＰ」のどちらを使用すべきかを認識できる。
【０２８９】
ステップＳ８５Ａの後、ＵＥ１００は、「ＣＳＰインデックス情報」によって認識できたＣＳＰ（第１のＣＳＰか第２のＣＳＰ）を使用してセル再選択処理を実行する（ステップＳ８６）。
【０２９０】
尚、本実施形態では、負荷再分散処理（Ｌｏａｄ  ｒｅ−ｄｉｓｔｒｉｂｕｔｉｏｎ）のトリガーを、ページングメッセージとしたが、これには限られない。例えば、上記「変更例２」においてグループが通知された事を、負荷再分散処理のトリガーとみなしてもよい。または、上記「変更例３」において、閾値が通知された事を、負荷再分散処理のトリガーとみなしてもよい。または、上記「変更例４」における「参照トリガー」を負荷再分散処理のトリガーとしてもよい。または、上記「変更例５」における「再選択要求信号」を負荷再分散処理のトリガーとしてもよい。または、上記「変更例７」における「再選択要求信号」を含むページング信号を負荷再分散処理のトリガーとしてもよい。これらの適用において、本実施形態における「Ｌｏａｄ  ｒｅ−ｄｉｓｔｒｉｂｕｔｉｏｎのトリガー」及び「ＣＳＰ適用／不適用指示」は、システム情報（ＳＩＢ）に含まれ得る事に留意すべきである。
【０２９１】
上記に示した各実施形態では特に触れていないが、ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０２９２】
或いは、ＵＥ１００及びｅＮＢ２００が行う各処理を実行するためのプログラムを記憶するメモリ及びメモリに記憶されたプログラムを実行するプロセッサによって構成されるチップが提供されてもよい。
【０２９３】
実施形態では、移動通信システムの一例としてＬＴＥシステムを説明した。しかしながら、実施形態はこれに限定されるものではない。移動通信システムは、ＬＴＥシステム以外のシステムであってもよい。
【０２９４】
［付記］
１．  はじめに
第９１回ＲＡＮ２において、ＲＡＮ２は、ベースラインとして、セル固有優先度（ＣＳＰ）を採用することに合意した。ベースラインとしてセル固有優先度を採用する。
【０２９５】
本付記では、ＣＳＰの概念に基づく可能なメカニズムを考察する。
【０２９６】
２．  考察
２．１．  セル固有優先度（ＣＳＰ）
ＣＳＰの概念は、既存の周波数依存優先度に加えて、特定のセルのためのセル再選択優先度を持つために提案された。第９０回ＲＡＮ２において合意されたように、要件４）は、既存のセル再選択スキームを使用して満たされ得ないので、ＣＳＰは、この要件４）を充足する潜在能力がある。
【０２９７】
合意  １．以下の要件は、既存のセル再選択スキームによって満たされない：
１）ネットワーク制御下では様々なキャリア上で現在キャンプ状態であるユーザの一部をこれらの様々なキャリアの間で再分配することが可能であるべきである。
【０２９８】
４）キャリアレベル（たとえば、同一チャネルＨｅｔ−Ｎｅｔ配備内のマクロセル及び／又は別のキャリア上のいくつかの小規模セルが過負荷状態であるかもしれないシナリオ）だけではなく、個々のセルの間で負荷分布を制御することが可能であるべきである。
【０２９９】
見解１：  ＣＳＰは要件４）を充足する潜在能力がある。
【０３００】
しかしながら、ＣＳＰが要件１）、すなわち、「ネットワーク制御下では様々なキャリア上で現在キャンプ状態であるユーザの一部をこれらの様々なキャリアの間で再分配することが可能であるべきである」も充足することができるかどうかがさらに考慮されるべきである。様々な解決策が１回限りの（ｏｎｅ−ｓｈｏｔ）メカニズムに基づく要件１）を充足するように具体的に設計された。要件１を充足する解決策の必要性を考慮すると、ＣＳＰは、両方の要件、すなわち、１）及び４）を充足するために単独では使用され得ないと思われる。
【０３０１】
見解２：  ＣＳＰは単独では要件１）を充足し得ない。
【０３０２】
両方の要件１）及び４）を満たす完成した別個のメカニズムを使用する代わりに、ネットワークが両方の要件を満たすため十分な柔軟性を持つことができるようにするために、ＣＳＰに加えて別のメカニズムが使用され得るか否かが考慮されるべきである。詳しくは、ＣＳＰは、両方の要件を充足するために連続的なランダム化もしくは１回限りのメカニズムのいずれかと組み合わせて使用されることがある。従って、ＲＡＮ２は、第９０回ＲＡＮ２において合意したとおり、両方の要件を同時に充足するために単一の解決策を目指すべきであり、すなわち、「解決策は、ＵＥ群の一部を一方のセルから別のセルへ移すことができるべきである」。
【０３０３】
提案１：  ＲＡＮ２は、ＵＥ群の一部を一方のセルから別のセルへ移すことができるべきであり、かつ、両方の要件１）及び４）を満たすことができる単一の解決策を目指すべきである。
【０３０４】
２．２  ページングトリガー型ＣＳＰ（Ｐａｇｉｎｇ−ｔｒｉｇｇｅｒｅｄ  ＣＳＰ）
提案１が実行可能な解決策であると見なされると仮定すると、ＲＡＮ２は、どんな解決策の組み合わせがさらに話し合われるべきであるかを考慮すべきである。ＣＳＰと組み合わせて連続的なランダム化、たとえば、ランダム化された閾値オフセットを使用する場合、この組み合わせは、両方の要件を充足する所望の結果を達成することがある。しかしながら、このような組み合わせアプローチは、この組み合わせが２つの異なった解決策の上に、すなわち、おそらく２つの別個のＵＥ挙動を用いて築かれているので、実際の動作に不必要な複雑さを引き起こす可能性がある。
【０３０５】
別のアプローチは、ページングメッセージの強化を使用する１回限りの再分配メカニズムを考慮することである。ページングメッセージは、個々のページングフレーム／オケージョンに基づいて、ＵＥ群のうち決定論的部分（ｄｅｔｅｒｍｉｎｉｓｔｉｃ  ｆｒａｃｔｉｏｎ）を指し示すことがあり得るとともに、ＵＥ群内のランダム値の発生に基づく解決策と同様の性能改善を提供する可能性がある。従って、ＣＳＰは、連続的に適用されると仮定される可能性が高いが、ページングメッセージがＵＥ群のどの部分がＣＳＰを適用すべきであるかを示すために使用されることがあり得るか否かは、考慮に値する。このアプローチにより、優先的なセルに対する集団再選択（ｍａｓｓ−ｒｅｓｅｌｅｃｔｉｏｎ）は、回避される可能性があり、さらに、所定の時点でＵＥ群のうち異なった部分に異なった優先度構成を適用することが可能であろう。このアプローチは、場合によっては、周波数間の測定に関するＵＥの負担も低減することになる。必要に応じて、サービングセルがあらゆるページングフレーム／オケージョンにおいて指標（ｉｎｄｉｃａｔｉｏｎ）を与える場合、サービングセルは、全てのＵＥにＣＳＰが適用されるように命令することもあり得る。
【０３０６】
提案２：  ページングメッセージは、負荷再分配のトリガーと、セル固有優先度が適用されるべきか否かと、を示すべきである。
【０３０７】
提案２を受け入れることができる場合、ＵＥが、ページングを通じた指示（ｉｎｄｉｃａｔｉｏｎ）を受信し次第、どのように挙動するかが考慮されるべきである。提起された複雑な配備及び論点を考慮して、解決策は、様々な負荷再分配戦略のための拡張性があるべきである。通常の負荷条件に対して考えられる事例のうち１つは、ＵＥ群のうち比較的低い負荷を受ける一部のＵＥを特定のセルへ移すことである。ｅＮＢは、たとえば、Ｘ２を介するリソース状態更新（ｒｅｓｏｕｒｃｅ  ｓｔａｔｕｓ  ｕｐｄａｔｅ）を用いて、隣接セル群／ｅＮＢ群の負荷条件を取得することができるので、ｅＮＢは、ＵＥ群がどちらのセルに移るべきであるかを決定することがある。本事例では、ｅＮＢは、より高い優先度を隣接セル（群）に設定することがある。別の可能性は、過負荷状態のセルがＵＥ群の一部をより負荷の低いセル／周波数に移すために負荷再分配を開始することである。目標は、負荷再分配後にネットワーク内部の平衡負荷を達成することであるので、ページングメッセージによってトリガーされたセル固有優先順位付けは、対応するセル再選択プロシージャ毎に１回だけ適用されるであろう。トリガーが繰り返し送信される場合、ＵＥは、セル再選択プロシージャ毎にセル固有優先度を繰り返し適用すべきことに留意すべきである。
【０３０８】
提案３：  ＵＥがＣＳＰ指示（ＣＳＰ  ｉｎｄｉｃａｔｉｏｎ）を用いる強化されたページングメッセージを受信するとき、ＵＥは、対応するセル固有優先順位付けパラメータを使用して１回限りのセル再選択プロシージャを適用する。
【０３０９】
セル固有パラメータがどのように供給されるかがさらに考慮されるべきである。提案２及び提案３が合意可能である場合、１つの可能性は、ページングメッセージの内部でパラメータを供給することであるが、ＣＳＰの当初の概念は、ＳＩＢを仮定する。ＨｅｔＮｅｔ配備を考慮すると、多数の小規模セルがマクロセルカバレッジの中に存在すると仮定されることがあり得るとともに、マクロセルは、各小規模セルに対応する多数のセル固有パラメータを供給すべきであることがある。加えて、解決策は、１回限りのメカニズムだけでなく、連続的なランダム化にも適用できるように拡張性があるべきである。その結果、ページングメッセージのサイズを最小化するために、セル固有パラメータがＳＩＢの中に設けられるべきである。
【０３１０】
提案４：  セル固有優先度付けのためのパラメータがＳＩＢの中に設けられるべきである。
【０３１１】
加えて、当初のＣＳＰがいくつかの配備において依然として有用であるか否かと、当初のＣＳＰが強化されたＣＳＰとどのようにして共存すべきであるかと、が考慮されることがある。２つの選択肢が考慮されることがある。
【０３１２】
・選択肢１：ＳＩＢは、１組のセル固有優先順位付けパラメータと、ＵＥがページを受信したときに限りパラメータが適用できるべきであるか、又は、パラメータがページングを使わずに連続的に適用できるべきであるかについての付加的な指示と、を提供する。
【０３１３】
・選択肢２：ＳＩＢは、当初のＣＳＰ用及び強化されたＣＳＰ用の２組の独立したセル固有優先順位付けパラメータを提供する。強化されたＣＳＰ用のパラメータの組は、ＵＥがページを受信したときに限り適用できる。強化されたＣＳＰがページングフレーム／オケージョンとの関連付けのため使用されたインデックスによって分類されたパラメータの複数の組を有するかどうかは、将来の研究課題である。
【０３１４】
提案５：  ＲＡＮ２は、上記選択肢に基づくパラメータ供給の詳細を考慮すべきである。
【０３１５】
［相互参照］
米国仮出願第６２／２３２９９８号（２０１５年９月２５日出願）の全内容が参照により本願明細書に組み込まれている。
【産業上の利用可能性】
【０３１６】
本発明は、通信分野において有用である。
【図１】
2017051580.tif 000003
【図２】
2017051580.tif 000004
【図３】
2017051580.tif 000005
【図４】
2017051580.tif 000006
【図５】
2017051580.tif 000007
【図６】
2017051580.tif 000008
【図７】
2017051580.tif 000009
【図８】
2017051580.tif 000010
【図９】
2017051580.tif 000011
【図１０】
2017051580.tif 000012
【図１１】
2017051580.tif 000013
【図１２】
2017051580.tif 000014
【図１３】
2017051580.tif 000015
【図１４】
2017051580.tif 000016
【図１５】
2017051580.tif 000017
【図１６】
2017051580.tif 000018
【図１７】
2017051580.tif 000019
【国際調査報告】
2017051580.tif 000020
2017051580.tif 000021
2017051580.tif 000022
2017051580.tif 000023